(57)【要約】ドナー基地局の分散ユニットを通じてドナー基地局の中央ユニットと通信する中継ノード内の適合レイヤを構成することは、ドナー基地局に接続すること（３４０２）と、接続を確立した後に、中継ノードのＭＴ部についてプロトコル・スタック内に適合レイヤを構成すること（３４０４）であって、適合レイヤは、中継ノードに接続された１つ以上のユーザ機器（ＵＥ）又は１つ以上のさらなる中継ノードに着信パケットをルーティングすることと、当該着信パケットをベアラにマッピングすることとを提供する、ことと、中継ノードのＭＴ部について適合レイヤを構成した後に、ドナー基地局の中央ユニットと中継ノードの下流にある第１のさらなる中継ノードとの間で交換されるパケットを転送するために、中継ノードの分散ユニット部について適合レイヤを構成すること（３４０６）とを含む。
2021520693.tif 000002
【特許請求の範囲】
【請求項１】
中継ノードにおいて、適合レイヤを構成するための方法であって、前記中継ノードは、ドナー基地局の分散ユニットを通じて前記ドナー基地局の中央ユニットと通信し、前記中継ノードは、モバイル端末（ＭＴ）部及び分散ユニット部を備え、前記ドナー基地局は、前記中央ユニット及び１つ以上の分散ユニットを備え、前記中央ユニットと前記分散ユニットのそれぞれとの間にＦ１インタフェースが規定され、前記方法は、
前記ドナー基地局に接続すること（３４０２）と、
前記接続を確立した後に、前記中継ノードの前記ＭＴ部についてプロトコル・スタック内に適合レイヤを構成すること（３４０４）であって、前記適合レイヤは、前記中継ノードに接続された１つ以上のユーザ機器（ＵＥ）又は１つ以上のさらなる中継ノードへの着信パケットのルーティングと、当該着信パケットのベアラへのマッピングとを提供する、ことと、
前記中継ノードの前記ＭＴ部について前記適合レイヤを構成した後に、前記ドナー基地局の前記中央ユニットと前記中継ノードの下流にある第１のさらなる中継ノードとの間で交換されるパケットを転送するために前記中継ノードの前記分散ユニット部について適合レイヤを構成すること（３４０６）と、を有する、方法。
【請求項２】
請求項１に記載の方法であって、前記中継ノードの前記ＭＴ部について前記プロトコル・スタック内に前記適合レイヤを構成すること（３４０４）は、前記ドナー基地局から受信されたＲＲＣシグナリングを使用して実行される、方法。
【請求項３】
請求項１又は２に記載の方法であって、前記中継ノードの前記分散ユニット部について前記適合レイヤを構成すること（３４０６）は、Ｆ１アプリケーション・プロトコル（Ｆ１‐ＡＰ）に従って、前記ドナー基地局から受信されたＦ１シグナリングを使用して実行される、方法。
【請求項４】
請求項１乃至３の何れか１項に記載の方法であって、前記ドナー基地局の前記中央ユニットと前記中継ノードの下流にある第２のさらなる中継ノードとの間で交換されるパケットを、前記ドナー基地局の前記中央ユニットとのＦ１シグナリングを使用して転送することを提供するために、前記中継ノードの前記分散ユニット部について前記適合レイヤをその後に再構成することをさらに有する、方法。
【請求項５】
請求項４に記載の方法であって、前記第２のさらなる中継ノードは、前記第１のさらなる中継ノードと並列に前記中継ノードに接続される、方法。
【請求項６】
請求項４に記載の方法であって、前記第２のさらなる中継ノードは、前記第１のさらなる中継ノードとのカスケードで前記中継ノードに接続され且つ前記第１のさらなる中継ノードの下流にある、方法。
【請求項７】
ドナー基地局の中央ユニットにおける方法であって、前記ドナー基地局は、前記中央ユニットと、アタッチされたノードとの無線通信のための１つ以上の分散ユニットとを備え、前記中央ユニットと前記分散ユニットのそれぞれとの間にＦ１インタフェースが規定され、前記方法は、前記ドナー基地局の分散ユニットを通じて前記中央ユニットと通信する中継ノード内に適合レイヤを構成するための方法であって、前記方法は、
前記ドナー基地局の前記分散ユニットを介して、前記中継ノードのモバイル端末（ＭＴ）部との接続を確立するために、無線リソース制御（ＲＲＣ）シグナリングを使用すること（３５０２）と、
前記接続を確立した後に、前記中継ノードの前記ＭＴ部についてプロトコル・スタック内に適合レイヤを構成するために前記中継ノードの前記ＭＴ部とシグナリングすること（３５０４）であって、前記適合レイヤは、前記中継ノードに接続された１つ以上のユーザ機器（ＵＥ）又は１つ以上のさらなる中継ノードへの着信パケットのルーティングと、当該着信パケットのベアラへのマッピングとを提供する、ことと、
前記ドナー基地局の前記分散ユニットにおける適合レイヤを構成すること（３５０６）であって、前記ドナー基地局の前記分散ユニットにおける前記適合レイヤは、着信パケットを、前記ドナー基地局の下流にある１つ以上の中継ノードのうちの適切な中継ノードにルーティングするように構成される、ことと、を有する、方法。
【請求項８】
請求項７に記載の方法であって、前記中継ノードの前記ＭＴ部について前記プロトコル・スタック内に前記適合レイヤを構成するために前記中継ノードの前記ＭＴ部とシグナリングすることは、ＲＲＣシグナリングを使用して実行される、方法。
【請求項９】
請求項７又は８に記載の方法であって、
前記中継ノードの前記ＭＴ部について前記適合レイヤを構成するために前記中継ノードの前記ＭＴ部とシグナリングした後に、前記ドナー基地局の前記中央ユニットと前記中継ノードの下流にある第１のさらなる中継ノードとの間で交換されるパケットを転送するために前記中継ノードの前記分散ユニット部について適合レイヤを構成するために前記中継ノードの分散ユニット部とシグナリングすることをさらに有する、方法。
【請求項１０】
請求項９に記載の方法であって、前記中継ノードの前記分散ユニット部について前記適合レイヤを構成するために前記中継ノードの前記分散ユニット部とシグナリングすることは、Ｆ１アプリケーション・プロトコル（Ｆ１‐ＡＰ）に従って、Ｆ１シグナリングを使用して実行される、方法。
【請求項１１】
請求項９又は１０に記載の方法であって、前記中継ノードの前記分散ユニット部について前記適合レイヤを構成するために前記中継ノードの前記分散ユニット部とシグナリングすることは、前記第１のさらなる中継ノードがＭＴとして前記中継ノードに接続したことに応じて実行される、方法。
【請求項１２】
請求項９乃至１１の何れか１項に記載の方法であって、前記ドナー基地局の前記中央ユニットと前記中継ノードの下流にある第２のさらなる中継ノードとの間で交換されるパケットを、前記中継ノードとのＦ１シグナリングを使用して転送することを提供するために、前記中継ノードの前記分散ユニット部について前記適合レイヤをその後に再構成することをさらに有する、方法。
【請求項１３】
請求項１２に記載の方法であって、前記第２のさらなる中継ノードは、前記第１のさらなる中継ノードと並列に前記中継ノードに接続される、方法。
【請求項１４】
請求項１２に記載の方法であって、前記第２のさらなる中継ノードは、前記第１のさらなる中継ノードとのカスケードで前記中継ノードに接続され且つ前記第１のさらなる中継ノードの下流にある、方法。
【請求項１５】
適合レイヤを構成するための中継ノード（２９００）であって、前記中継ノードは、モバイル端末（ＭＴ）部及び分散ユニット部を備え、ドナー基地局と通信するように適合され、前記ドナー基地局は、中央ユニット及び１つ以上の分散ユニットを備え、前記中央ユニットと前記分散ユニットのそれぞれとの間にＦ１インタフェースが規定され、前記中継ノードは、
前記ドナー基地局、又は前記中継ノードと前記ドナー基地局との間の別の中継ノードと通信するように構成された第１の無線回路（２９２２）と、
１つ以上のユーザ機器（ＵＥ）、又は１つ以上の他の中継ノード、又はその両方と通信するように構成された第２の無線回路（２９１２）と、
前記第１及び第２の無線回路に動作可能に結合された処理回路（２９３０）であって、
前記ドナー基地局に接続することと、
前記接続を確立した後に、前記中継ノードの前記ＭＴ部についてプロトコル・スタック内に適合レイヤを構成することであって、前記適合レイヤは、前記中継ノードに接続された１つ以上のユーザ機器（ＵＥ）又は１つ以上のさらなる中継ノードへの着信パケットのルーティングと、当該着信パケットのベアラへのマッピングとを提供する、ことと、
前記中継ノードの前記ＭＴ部について前記適合レイヤを構成した後に、前記ドナー基地局の前記中央ユニットと前記中継ノードの下流にある第１のさらなる中継ノードとの間で交換されるパケットを転送するために前記中継ノードの前記分散ユニット部について適合レイヤを構成することと、を行うように構成された処理回路と、を備える、中継ノード。
【請求項１６】
請求項１５に記載の中継ノード（２９００）であって、前記処理回路（２９３０）は、前記ドナー基地局から受信されたＲＲＣシグナリングを使用して、前記中継ノードの前記ＭＴ部について前記プロトコル・スタック内に前記適合レイヤを構成するように構成される、中継ノード。
【請求項１７】
請求項１５又は１６に記載の中継ノード（２９００）であって、前記処理回路（２９３０）は、Ｆ１アプリケーション・プロトコル（Ｆ１‐ＡＰ）に従って、前記ドナー基地局から受信されたＦ１シグナリングを使用して、前記中継ノードの前記分散ユニット部について前記適合レイヤを構成するように構成される、中継ノード。
【請求項１８】
請求項１５乃至１７の何れか１項に記載の中継ノード（２９００）であって、前記処理回路（２９３０）は、前記ドナー基地局の前記中央ユニットと前記中継ノードの下流にある第２のさらなる中継ノードとの間で交換されるパケットを、前記ドナー基地局の前記中央ユニットとのＦ１シグナリングを使用して転送することを提供するために、前記中継ノードの前記分散ユニット部について前記適合レイヤをその後に再構成するようにさらに構成される、中継ノード。
【請求項１９】
請求項１８に記載の中継ノード（２９００）であって、前記第２のさらなる中継ノードは、前記第１のさらなる中継ノードと並列に前記中継ノードに接続される、中継ノード。
【請求項２０】
請求項１９に記載の中継ノード（２９００）であって、前記第２のさらなる中継ノードは、前記第１のさらなる中継ノードとのカスケードで前記中継ノードに接続され且つ前記第１のさらなる中継ノードの下流にある、中継ノード。
【請求項２１】
ドナー基地局の中央ユニット（２６１０）として動作するために構成された装置であって、前記ドナー基地局は、前記中央ユニットと、アタッチされたノードとの無線通信のための１つ以上の分散ユニットとを備え、前記中央ユニットと前記分散ユニットのそれぞれとの間にＦ１インタフェースが規定され、前記装置は、
前記１つ以上の分散ユニットと通信するように構成された通信回路（２６１８）と、
前記通信回路と動作可能に結合された処理回路（２６１２）であって、
前記ドナー基地局の前記分散ユニットを介して、中継ノードのモバイル端末（ＭＴ）部との接続を確立するために、無線リソース制御（ＲＲＣ）シグナリングを使用することと、
前記接続を確立した後に、前記中継ノードの前記ＭＴ部についてプロトコル・スタック内に適合レイヤを構成するために前記中継ノードの前記ＭＴ部とシグナリングすることであって、前記適合レイヤは、前記中継ノードに接続された１つ以上のユーザ機器（ＵＥ）又は１つ以上のさらなる中継ノードへの着信パケットのルーティングと、当該着信パケットのベアラへのマッピングとを提供する、ことと、
前記ドナー基地局の前記分散ユニットにおける適合レイヤを構成することであって、前記ドナー基地局の前記分散ユニットにおける前記適合レイヤは、着信パケットを、前記ドナー基地局の下流にある１つ以上の中継ノードのうちの適切な中継ノードにルーティングするように構成される、ことと、によって前記中継ノードに適合レイヤを構成するように構成される処理回路と、を備える、装置。
【請求項２２】
請求項２１に記載の装置であって、前記処理回路（２６１２）は、ＲＲＣシグナリングを使用して、前記中継ノードの前記ＭＴ部について前記プロトコル・スタック内に前記適合レイヤを構成するために前記中継ノードの前記ＭＴ部とシグナリングするように構成される、装置。
【請求項２３】
請求項２１又は２２に記載の装置であって、前記処理回路（２６１２）は、
前記中継ノードの前記ＭＴ部について前記適合レイヤを構成するために前記中継ノードの前記ＭＴ部とシグナリングした後に、前記ドナー基地局の前記中央ユニットと前記中継ノードの下流にある第１のさらなる中継ノードとの間で交換されるパケットを転送するために前記中継ノードの前記分散ユニット部について適合レイヤを構成するために前記中継ノードの分散ユニット部とシグナリングするようにさらに構成される、装置。
【請求項２４】
請求項２３に記載の装置であって、前記処理回路（２６１２）は、Ｆ１アプリケーション・プロトコル（Ｆ１‐ＡＰ）に従って、Ｆ１シグナリングを使用して、前記中継ノードの前記分散ユニット部について前記適合レイヤを構成するために前記中継ノードの前記分散ユニット部とシグナリングするように構成される、装置。
【請求項２５】
請求項２３又は２４に記載の装置であって、前記処理回路（２６１２）は、前記第１のさらなる中継ノードがＭＴとして前記中継ノードに接続したことに応じて、前記中継ノードの前記分散ユニット部について前記適合レイヤを構成するために前記中継ノードの前記分散ユニット部とシグナリングするように構成される、装置。
【請求項２６】
請求項２３乃至２５の何れか１項に記載の装置であって、前記処理回路（２６１２）は、前記ドナー基地局の前記中央ユニットと前記中継ノードの下流にある第２のさらなる中継ノードとの間で交換されるパケットを、前記中継ノードとのＦ１シグナリングを使用して転送することを提供するために、前記中継ノードの前記分散ユニット部について前記適合レイヤをその後に再構成するようにさらに構成される、装置。
【請求項２７】
請求項２６に記載の装置であって、前記第２のさらなる中継ノードは、前記第１のさらなる中継ノードと並列に前記中継ノードに接続される、装置。
【請求項２８】
請求項２６に記載の装置であって、前記第２のさらなる中継ノードは、前記第１のさらなる中継ノードとのカスケードで前記中継ノードに接続され且つ前記第１のさらなる中継ノードの下流にある、装置。
【請求項２９】
ドナー基地局の分散ユニットを通じて前記ドナー基地局の中央ユニットと通信するために適合された中継ノードであって、前記中継ノードは、モバイル端末（ＭＴ）部及び分散ユニット部を備え、前記ドナー基地局は、前記中央ユニット及び１つ以上の分散ユニットを備え、前記中央ユニットと前記分散ユニットのそれぞれとの間にＦ１インタフェースが規定され、前記中継ノードは、請求項１乃至６の何れか１項に記載の方法を実行するように適合される、中継ノード。
【請求項３０】
ドナー基地局の中央ユニットであって、前記ドナー基地局は、前記中央ユニットと、アタッチされたノードとの無線通信のための１つ以上の分散ユニットとを備え、前記中央ユニットと前記分散ユニットのそれぞれとの間にＦ１インタフェースが規定され、前記中央ユニットは、請求項７乃至１４の何れか１項に記載の方法を実行するように適合される、中央ユニット。
【請求項３１】
少なくとも１つの処理回路で実行された場合に、前記少なくとも１つの処理回路に、請求項１乃至１４の何れか１項に記載の方法を実行させる命令を含むコンピュータ・プログラム。
【請求項３２】
請求項１６に記載のコンピュータ・プログラムを含むキャリアであって、前記キャリアは、電気信号、光信号、無線信号、又はコンピュータ可読記憶媒体のうちの１つである、キャリア。
【発明の詳細な説明】
【技術分野】
【０００１】
本開示は一般にワイヤレス通信ネットワークに関連し、より詳細には、中継ノードに接続された１つ以上のユーザ機器（ＵＥ）又は１つ以上のさらなる中継ノードへの着信パケットのルーティングと、当該着信パケットのベアラへのマッピングとを提供する適合レイヤを構成するための中継ノードに関連する。
【背景技術】
【０００２】
図１は、第３世代パートナシップ・プロジェクト（３ＧＰＰ）によって現在開発中であり、次世代無線アクセス・ネットワーク（ＮＧ‐ＲＡＮ）及び５Ｇコア（５ＧＣ）からなる５Ｇワイヤレス通信システムのための５Ｇネットワーク・アーキテクチャのハイレベル図を示す。ＮＧ‐ＲＡＮは、１つ以上のＮＧインタフェースを介して５ＧＣに接続されたｇノードＢ（ｇＮＢ）の集合を備えるが、ｇＮＢは１つ以上のＸｎインタフェースを介して互いに接続されうる。ｇＮＢのそれぞれは、周波数分割複信（ＦＤＤ）、時分割複信（ＴＤＤ）、又はそれらの組み合わせをサポートできる。ＮＧ‐ＲＡＮの無線技術は、しばしば「ニュー・ラジオ」（ＮＲ）と呼ばれる。
【０００３】
図１に示される（及び３ＧＰＰ  ＴＳ  ３８．４０１及び３ＧＰＰ  ＴＲ  ３８．８０１に記載される）ＮＧ  ＲＡＮ論理ノードは、中央ユニット（ＣＵ又はｇＮＢ‐ＣＵ）と、１つ以上の分散ユニット（ＤＵ又はｇＮＢ‐ＤＵ）とを含む。ＣＵは、上位レイヤ・プロトコルをホストする集中型ユニットである論理ノードであり、ＤＵの動作の制御を含む多数のｇＮＢ機能を含む。ＤＵは、下位レイヤ・プロトコルをホストする非集中型論理ノードであり、機能分割オプションに依存して、ｇＮＢ機能のさまざまな部分集合を含むことができる。（本書で「中央ユニット」及び「集中型ユニット」という用語が互換的に使用され、「分散ユニット」及び「非集中型ユニット」という用語が互換的に使用される。）ｇＮＢ‐ＣＵは、個別のＦ１論理インタフェースを介してｇＮＢ‐ＤＵに接続する。ｇＮＢ‐ＣＵ及び接続されたｇＮＢ‐ＤＵは、他のｇＮＢ及び５ＧＣにとってｇＮＢとしてのみ可視であり、例えば、Ｆ１インタフェースは、ｇＮＢ‐ＣＵを超えて可視ではない。
【０００４】
さらに、ｇＮＢ‐ＣＵとｇＮＢ‐ＤＵとの間のＦ１インタフェースは、以下の一般原則に基づいて規定される。
‐Ｆ１はオープンインタフェースである。
‐Ｆ１は、個別のエンドポイント間のシグナリング情報の交換、並びに個別のエンドポイントへのデータ送信をサポートする。
‐論理的な観点から、Ｆ１は、（エンドポイント間に物理的な直接接続がない場合であっても、）エンドポイント間のポイント・ツー・ポイント・インタフェースである。
‐Ｆ１は、ｇＮＢ‐ＣＵがＣＰ及びＵＰにおいて分離されうるように、制御プレーン（ＣＰ）及びユーザ・プレーン（ＵＰ）分離をサポートする。
‐Ｆ１は、無線ネットワーク・レイヤ（ＲＮＬ）とトランスポート・ネットワーク・レイヤ（ＴＮＬ）とを分離する。
‐Ｆ１は、ユーザ機器（ＵＥ）関連情報及び非ＵＥ関連情報の交換を可能にする。
‐Ｆ１は、新しい要件、サービス、及び機能に関して将来においても有効であると規定される。
‐ｇＮＢはＸ２、Ｘｎ、ＮＧ、及びＳ１‐Ｕインタフェースを終端し、ＤＵとＣＵとの間のＦ１インタフェースについて、３ＧＰＰ  ＴＳ  ３８．４７３において規定され、その全体が参照により本書に組み込まれるＦ１アプリケーション部プロトコル（Ｆ１‐ＡＰ）を利用する。
【０００５】
さらに、ＣＵは、無線リソース制御（ＲＲＣ）やパケット・データ・コンバージェンス・プロトコル（ＰＤＣＰ）のようなプロトコルをホストすることができ、ＤＵは、無線リンク制御（ＲＬＣ）、媒体アクセス制御（ＭＡＣ）及び物理レイヤ・プロトコル（ＰＨＹ）のようなプロトコルをホストできる。しかし、ＣＵ内のＲＲＣ、ＰＤＣＰ、及びＲＬＣプロトコルの一部（例えば、自動再送要求（ＡＲＱ）機能）をホストする一方で、ＤＵ内のＲＬＣプロトコルの残りの部分をＭＡＣ及びＰＨＹとともにホストするように、ＣＵとＤＵとの間のプロトコル分散の他の変形形態が存在しうる。いくつかの例示的な実施形態で、ＣＵは、ＲＲＣ及びＰＤＣＰをホストすることができ、ここで、ＰＤＣＰは、ＵＰトラフィック及びＣＰトラフィックの両方を扱うことが想定される。それにもかかわらず、他の例示的な実施形態は、ＣＵ内の特定のプロトコル及びＤＵ内の特定の他のプロトコルをホストすることによって、他のプロトコル分割を利用してもよい。例示的な実施形態は、集中型ユーザ・プレーン・プロトコル（例えば、ＰＤＣＰ‐Ｕ）に関して、異なるＣＵ内に集中型制御プレーン・プロトコル（例えば、ＰＤＣＰ‐Ｃ及びＲＲＣ）を配置することもできる。
【０００６】
また、３ＧＰＰ  ＲＡＮ３作業グループ（ＷＧ）において、ｇＮＢ‐ＣＵをＣＵ‐ＣＰ機能（無線ベアラのシグナリングのためのＲＲＣ及びＰＤＣＰを含む）とＣＵ‐ＵＰ機能（ユーザ・プレーンのためのＰＤＣＰを含む）とに分離することをサポートすることが合意された。ＣＵ‐ＣＰ部及びＣＵ‐ＵＰ部は、Ｅ１インタフェースを介してＥ１‐ＡＰプロトコルを使用して相互に通信する。ＣＵ‐ＣＰ／ＵＰ分離を図２に示す。
【０００７】
ＣＵ及びＤＵによって識別されるアーキテクチャで、同じＣＵによってサービスされる複数のＤＵにＵＥが接続することを可能にすることによって、又は異なるＣＵによってサービスされる複数のＤＵにＵＥが接続することを可能にすることによって、デュアル・コネクティビティ（ＤＣ）が達成されうる。図１に示されるように、ｇＮＢは、個別のＦ１インタフェースを介して１つ以上のｇＮＢ‐ＤＵに接続されたｇＮＢ‐ＣＵを含むことができ、そのすべては、以下でより詳細に説明される。ただし、ＮＧ‐ＲＡＮアーキテクチャで、ｇＮＢ‐ＤＵは１つのｇＮＢ‐ＣＵにしか接続できない。
【０００８】
ＮＧ‐ＲＡＮは、無線ネットワーク・レイヤ（ＲＮＬ）とトランスポート・ネットワーク・レイヤ（ＴＮＬ）とに階層化されている。ＮＧ‐ＲＡＮアーキテクチャ、すなわちＮＧ‐ＲＡＮ論理ノードとそれらの間のインタフェースとは、ＲＮＬの一部として規定される。ＮＧ‐ＲＡＮインタフェース（ＮＧ、Ｘｎ、Ｆ１）ごとに、関連するＴＮＬプロトコル及び機能が指定される。ＴＮＬは、ユーザ・プレーン・トランスポート及びシグナリング・トランスポートのためのサービスを提供する。ＮＧ‐Ｆｌｅｘ構成で、各ｇＮＢは、プール・エリア内のすべての５ＧＣノードに接続される。プール・エリアは、３ＧＰＰ  ＴＳ  ２３．５０１において規定される。ＮＧ‐ＲＡＮインタフェースのＴＮＬ上の制御プレーン及びユーザ・プレーンデータのセキュリティ保護をサポートする必要がある場合に、ネットワーク・ドメイン・セキュリティ／ＩＰレイヤ・セキュリティ（ＮＤＳ／ＩＰ）が適用される（３ＧＰＰ  ＴＳ  ３３．４０１）。
【０００９】
ＲＡＮ  ５Ｇアーキテクチャの文脈で、３ＧＰＰはデュアル・コネクティビティがサポートされることに同意した。このようなメカニズムは、マスタ・ノード及びセカンダリ・ノードを確立することからなり、可能な最良のトラフィック及び無線リソース管理に従って、ユーザ・プレーン（ＵＰ）トラフィックをマスタ・ノード（ＭＮ）及びセカンダリ・ノード（ＳＮ）に分配することからなる。ＣＰトラフィックは１つのノードのみで、すなわちＭＮのみで終端すると想定される。図３及び４は、ftp.3gpp.org/Specs/archive/38_series/38.300/38300‐060.zipで見つけることができる、３ＧＰＰ  ＴＳ  ３８．３００ｖ０．６．０によるデュアル・コネクティビティに関与するプロトコル及びインタフェースを示す。
【００１０】
図３は、マスタｇＮＢ（ＭｇＮＢ）におけるデュアル・コネクティビティのベアラを示し、ＭｇＮＢがＰＤＣＰベアラ・トラフィックをセカンダリｇＮＢ（ＳｇＮＢ）へ転送できることを示している。同様に、図４は、ＳｇＮＢにおけるデュアル・コネクティビティのベアラを示し、ＳＧＮＢがＰＤＣＰベアラ・トラフィックをＭｇＮＢへ転送することを示している。ＭｇＮＢ及びＳｇＮＢは上記で概説したＲＡＮ分離アーキテクチャに従ってもよく、よって、ＣＵ及びＤＵを備えてもよいことを理解されたい。図はマスタ・セル・グループ（ＭＣＧ）ベアラ及びセカンダリ・セル・グループ（ＳＣＧ）ベアラを示し、ＭＣＧベアラはＭｇＮＢの無線レッグのみを使用する無線ベアラであり、ＳＣＧベアラは、ＳｇＮＢの無線レッグのみを使用する無線ベアラであることに留意されたい。ＭＮ終端分離ベアラはＭｇＮＢによって制御されるが、ＭｇＮＢ及びＳｇＮＢの両方の無線レッグを使用し、一方、ＳＮ分離ベアラはＳｇＮＢによって制御されるが、ＳｇＮＢ及びＭｇＮＢの両方の無線レッグを使用する。
【００１１】
さらに、５Ｇ標準化の文脈で、マルチＲＡＴデュアル・コネクティビティ（ＭＲ‐ＤＣ）が特定されつつある。ＭＲ‐ＤＣが適用されると、ＲＡＮノード（マスタ・ノード、ＭＮ）は制御プレーンをＣＮに向けてアンカーし、別のＲＡＮノード（セカンダリ・ノード、ＳＮ）はＭＮとの協調を介して制御及びユーザ・プレーン・リソースをＵＥに提供する。これは図５に示されており、３ＧＰＰ  ＴＳ  ３７．３４０から抽出されている。
【００１２】
ＭＲ‐ＤＣの範囲内で、図６（これも３ＧＰＰ  ＴＳ  ３７．３４０から取得）に示すように、様々なユーザ・プレーン／ベアラ・タイプのソリューションが可能であり、これはＭＧＣベアラ、ＭＧＣ分離ベアラ、ＳＣＧベアラ、及びＳＣＧ分離ベアラについての無線プロトコル・アーキテクチャを、５ＧとのＭＲ‐ＤＣで示している。
【００１３】
３ＧＰＰ  ＴＳ  ３８．４０１で、ＵＥからの初期アクセス、ＤＵ間モビリティなどの処理のためのｇＮＢ‐ＣＵ／ｇＮＢ‐ＤＵアーキテクチャにおけるシグナリング・フローを含む、全体的な手順が描かれている。
【００１４】
ＭＲ‐ＤＣの一つの特定の種類は、ＥＮ‐ＤＣ（発展型ユニバーダル地上無線アクセス／ニュー・ラジオ・デュアル・コネクティビティ）と呼ばれる。この場合、ＬＴＥ  ｅＮＢはマスタ・ノード（ＭＮ）であり、ＮＲ  ｇＮＢはセカンダリ・ノード（ＳＮ）である。
【００１５】
３ＧＰＰ標準のリリース１５（以下、「３ＧＰＰリリース１５」と呼ぶ）について、非スタンドアロンＮＲ展開をサポートすることが合意されている。この場合、ＮＲ  ＲＡＴはスタンドアロン動作をサポートせず、すなわち、ＮＲ  ＲＡＴは、それ自体でＵＥにサービスを提供することができない。代わりに、エンド・ユーザにサービスするためにデュアル・コネクティビティ（ＥＮ‐ＤＣフレーバ）が使用される。これは、ＵＥが最初にＬＴＥ  ＭｅＮＢに接続し、これが後にＳｇＮＢ（セカンダリｇＮＢ）においてＮＲレッグをセットアップすることを意味する。図７は、この手順のための例示的なシグナリング・フローを示す。
【００１６】
図７に示す手順で、ＵＥはまず、ＬＴＥにおいて接続を実行する（ステップ１〜１１）。この時点で、ネットワークは、ＮＲ  ＲＡＴ上で測定するようにＵＥに命令している。測定設定は、メッセージ１１の後（又は一緒に）の任意の時点で行うことができる。その後、ＵＥは、ＮＲ  ＲＡＴに関する測定報告を送信する。その後、ネットワークは、ＮＲレッグのセットアップを開始できる（ステップ１６〜２６）。ＥＮ‐ＤＣについて、５Ｇコア（５ＧＣ）ではなく、発展型パケット・コア（ＥＰＣ）コア・ネットワークが使用される。
【００１７】
非スタンドアロン動作に加えて、ＮＲはまた、スタンドアロン（ＳＡ）動作をサポートする。この場合、ＳＡ  ＮＲをサポートするＵＥは、ＮＲセルにキャンプ・オンし、ＮＲシステムへのアクセスを直接実行する（すなわち、ＮＲにアクセスするためにＬＴＥに最初に接続することが要求されない）。ＳＡ対応ＮＲ  ｇＮＢは、ＬＴＥ動作と同様の方法で、ＮＲセルにアクセスするために使用されるセル内でシステム情報（ＳＩ）をブロードキャストするが、ＳＩの内容、並びにブロードキャストされる方法（たとえば、周期性）はＬＴＥとは異なりうる。
【００１８】
ますます多くの基地局（例えば、マクロ又はマイクロ基地局）の展開による高密度化は、主にビデオ・ストリーミング・サービスの増加する使用によって推進される、モバイル・ネットワークにおける帯域幅及び／又は容量に対する増加する需要を満たすために採用されうるメカニズムの１つである。ミリ波（ｍｍｗ）帯でより多くのスペクトルが利用可能であるため、この帯域で動作する小型セルを展開することは、これらの目的のための魅力的な展開オプションである。しかし、小型セルを事業者のバックホール・ネットワークに光ファイバで接続する通常のアプローチは結局、非常に高価であり、実用的ではない。小型セルを事業者のネットワークに接続するために無線リンクを使用することは、より安価でより実用的な代替案である。そのようなアプローチの１つは統合アクセス・バックホール（ＩＡＢ）ネットワークであり、ここで、事業者はバックホール・リンクのために利用可能な無線リソースの一部を利用できる。
【００１９】
ＩＡＢは、ロング・ターム・エボリューション（ＬＴＥ）リリース１０の範囲において、３ＧＰＰにおいて以前に検討されている。その作業で、中継ノード（ＲＮ）がＬＴＥ  ｅＮＢ及びＵＥモデムの両方の機能を有するアーキテクチャが採用された。ＲＮはドナーｅＮＢに接続されており、ドナーｅＮＢはＳ１／Ｘ２プロキシ機能を有し、ネットワークの残りの部分からＲＮを隠す。このアーキテクチャは、ドナーｅＮＢがＲＮの背後のＵＥにも気づき、ドナーｅＮＢと、同じドナーｅＮＢ上の中継ノードと間のＵＥモビリティをＣＮから隠すことを可能にした。リリース１０検討中に、例えば、ＲＮがドナーｇＮＢに対してより透過的であり、別個のスタンドアロンＰ／Ｓ‐ＧＷノードを割り当てるなど、他のアーキテクチャも検討された。
【００２０】
５Ｇ／ＮＲについて、ＩＡＢを利用する同様のオプションも検討できる。ＬＴＥと比較した１つの違いは上述したｇＮＢ‐ＣＵ／ＤＵ分離であり、これは時間クリティカルなＲＬＣ／ＭＡＣ／ＰＨＹプロトコルを、時間クリティカルでないＲＲＣ／ＰＤＣＰプロトコルから分離する。同様の分割がＩＡＢの場合にも適用できることが予想される。ＬＴＥと比較してＮＲにおいて予想される他のＩＡＢ関連の差異は、複数のホップのためのサポート及び冗長パスのためのサポートである。
【００２１】
アテネでのＲＡＮ３＃９９会議（２０１８年２月）中に、いくつかのＩＡＢマルチホップ設計が提案され、５つのアーキテクチャ参照図（35w.3gpp.org/ftp/tsg_ran/wg3_iu/TSGR3_99/Docs/R3‐181502.zipで入手可能）の下で要約された。これらの参照図は例えば、マルチホップ転送を達成するために必要とされる、インタフェース上で必要とされる修正、又は追加の機能に関して異なる。これら５つのアーキテクチャは、２つのアーキテクチャ・グループに分割される。これらのアーキテクチャの主な特徴は、以下のように要約されうる。
【００２２】
アーキテクチャ・グループ１：アーキテクチャ１ａ及び１ｂからなる。どちらのアーキテクチャもＣＵ／ＤＵ分離アーキテクチャを利用する。
‐アーキテクチャ１ａ：
○Ｆ１‐Ｕのバックホールは、適合レイヤ又は適合レイヤと組み合わされたＧＴＰ‐Ｕを使用する。
○中間ノードをわたるホップ・バイ・ホップ転送は、適合レイヤを使用する。
‐アーキテクチャ１ｂ：
○アクセス・ノード上のＦ１‐Ｕのバックホールは、ＧＴＰ‐Ｕ／ＵＤＰ／ＩＰを使用する。
○中間ノードをわたるホップ・バイ・ホップ転送は、適合レイヤを使用する。
【００２３】
アーキテクチャ・グループ２：アーキテクチャ２ａ、２ｂ、及び２ｃからなる。
‐アーキテクチャ２ａ：
○アクセス・ノード上のＦ１‐Ｕ又はＮＧ‐Ｕのバックホールは、ＧＴＰ‐Ｕ／ＵＤＰ／ＩＰを使用する。
○中間ノードをわたるホップ・バイ・ホップ転送は、パケット・データ・ユニット（ＰＤＵ）セッション・レイヤ・ルーティングを使用する。
‐アーキテクチャ２ｂ：
○アクセス・ノード上のＦ１‐Ｕ又はＮＧ‐Ｕのバックホールは、ＧＴＰ‐Ｕ／ＵＤＰ／ＩＰを使用する。
○中間ノードをわたるホップ・バイ・ホップ転送は、ＧＴＰ‐Ｕ／ＵＤＰ／ＩＰネストされたトンネリングを使用する。
‐アーキテクチャ２ｃ：
○アクセス・ノード上のＦ１‐Ｕ又はＮＧ‐Ｕのバックホールは、ＧＴＰ‐Ｕ／ＵＤＰ／ＩＰを使用する。
○中間ノードをわたるホップ・バイ・ホップ転送は、ＧＴＰ‐Ｕ／ＵＤＰ／ＩＰ／ＰＤＣＰネストされたトンネリングを使用する。
【００２４】
アーキテクチャ１ａは、ＣＵ／ＤＵ分離アーキテクチャを活用する。図８は、ＩＡＢドナーの下のＩＡＢノードの２ホップ連鎖のための参照図を示す。このアーキテクチャで、各ＩＡＢノードがＤＵ及びモバイル終端（ＭＴ）を保持し、後者はＩＡＢドナー又は他のＩＡＢノードに向かうバックホールＵｕインタフェースの無線インタフェース・レイヤを終端するＩＡＢノード上に存在する機能である。事実上、ＭＴは、上流の中継ノードへのＵｕインタフェース上のＵＥを表す。ＭＴを介して、ＩＡＢノードは、上流のＩＡＢノード又はＩＡＢドナーに接続する。ＤＵを介して、ＩＡＢノードは、下流にあるＩＡＢノードのＵＥ及びＭＴへのＲＬＣチャネルを確立する。ＭＴについて、このＲＬＣチャネルは、修正されたＲＬＣ＊を指してもよい。
【００２５】
ドナーはまた、下流にあるＩＡＢノードのＵＥ及びＭＴをサポートするためにＤＵを保持する。ＩＡＢドナーは、すべてのＩＡＢノードのＤＵ及びそれ自体のＤＵのためのＣＵを保持する。ＩＡＢノード上の各ＤＵは、Ｆ１＊と呼ばれる修正された形態のＦ１を使用して、ＩＡＢドナー内のＣＵに接続する。Ｆ１＊‐Ｕは、サービングＩＡＢノード上のＭＴとドナー上のＤＵとの間のワイヤレス・バックホール上でＲＬＣチャネルを通じて動作する。Ｆ１＊‐Ｕは、サービングＩＡＢノード上のＭＴとＤＵとの間、並びにドナー上のＤＵとＣＵとの間のトランスポートを提供する。ルーティング情報を保持する適合レイヤが追加され、ホップ・バイ・ホップ転送を可能にする。これは、標準Ｆ１スタックのＩＰ機能を置き換える。Ｆ１＊‐Ｕは、ＣＵとＤＵとの間のエンド・ツー・エンド関連付けのためのＧＴＰ‐Ｕヘッダを搬送してもよい。さらなる拡張で、ＧＴＰ‐Ｕヘッダ内で搬送される情報が適合レイヤに含まれてもよい。さらに、ホップ・バイ・ホップではなく、エンド・ツー・エンド接続にのみＡＲＱを適用するような、ＲＬＣに対する最適化が検討されてもよい。図８の右側は、そのようなＦ１＊‐Ｕプロトコル・スタックの２つの例を示す。この図で、ＲＬＣの拡張をＲＬＣ＊と呼ぶ。各ＩＡＢノードのＭＴは、さらにＩＡＢノードの認証など、ＮＧＣへのＮＡＳコネクティビティを維持する。それはさらに、例えば、ＩＡＢノードにＯＡＭへのコネクティビティを提供するために、ＮＧＣを介してＰＤＵセッションを維持する。
【００２６】
アーキテクチャ１ｂは、ＣＵ／ＤＵ分離アーキテクチャも利用する。図９は、ＩＡＢドナーの下のＩＡＢノードの２ホップ・チェーンについて、このアーキテクチャのための参照図を示す。ＩＡＢドナーは、１つの論理ＣＵのみを保持することに留意されたい。
【００２７】
このアーキテクチャで、各ＩＡＢノード及びＩＡＢドナーは、アーキテクチャ１ａと同じ機能を保持する。また、アーキテクチャ１ａと同様に、すべてのバックホール・リンクはＲＬＣチャネルを確立し、Ｆ１＊のホップ・バイ・ホップ転送を可能にするために適合レイヤが挿入される。
【００２８】
しかし、アーキテクチャ１ａで採用されたアプローチとは対照的に、各ＩＡＢノード上のＭＴは、ドナー上に存在するＵＰＦとのＰＤＵセッションを確立する。ＭＴのＰＤＵセッションは、コロケーションＤＵのためにＦ１＊を搬送する。このようにして、ＰＤＵセッションは、ＣＵとＤＵとの間のポイント・ツー・ポイント・リンクを提供する。中間ホップで、Ｆ１＊のＰＤＣＰ‐ＰＤＵは、アーキテクチャ１ａについて説明したのと同じ方法で適合レイヤを介して転送される。図９の右側は、Ｆ１＊‐Ｕプロトコル・スタックの例を示す。
【００２９】
アーキテクチャ２ａで、ＩＡＢノードは、親ＩＡＢノード又はＩＡＢドナー上のｇＮＢとのＮＲ  Ｕｕリンクを確立するためにＭＴを保持する。このＮＲ‐Ｕｕリンクを介して、ＭＴはｇＮＢとコロケーションされたＵＰＦとのＰＤＵセッションを維持する。このようにして、独立したＰＤＵセッションが、すべてのバックホール・リンク上に生成される。各ＩＡＢノードは、隣接リンクのＰＤＵセッション間でデータを転送するルーティング機能をさらにサポートする。これは、ワイヤレス・バックホールにわたる転送プレーンを生成する。ＰＤＵセッション・タイプに基づいて、この転送プレーンはＩＰ又はイーサネットをサポートする。ＰＤＵセッション・タイプがイーサネットの場合に、ＩＰレイヤを上に確立できる。このようにして、各ＩＡＢノードは、有線バックホール・ネットワークへのＩＰコネクティビティを取得する。
【００３０】
ＮＧ、Ｘｎ、Ｆ１、Ｎ４などのすべてのＩＰベースのインタフェースは、この転送プレーンを介して搬送される。Ｆ１の場合に、ＵＥにサービスするＩＡＢ‐ノードは、全ｇＮＢではなくＤＵを含んでおり、ＣＵはＩＡＢドナー内又はそれを超えたところにありうる。図１０の右側は、ＩＰベースとイーサネットベースとのＰＤＵセッション・タイプのＮＧ‐Ｕプロトコル・スタックの例を示す。
【００３１】
ＵＥアクセスのためにＩＡＢノードがＤＵを保持する場合に、ＵＥとＣＵとの間のエンド・ツー・エンド・ＰＤＣＰを使用してエンド・ユーザ・データがすでに保護されるので、各ホップに関してＰＤＣＰベースの保護をサポートすることは要求されなくてもよい。  アーキテクチャ２ｂで、ＩＡＢノードは、親ＩＡＢノード又はＩＡＢドナー上のｇＮＢとのＮＲ  Ｕｕリンクを確立するためにＭＴを保持する。このＮＲ‐Ｕｕリンクを介して、ＭＴはＵＰＦとのＰＤＵセッションを維持する。アーキテクチャ２ａで採用されたアプローチとは対照的に、このＵＰＦはＩＡＢドナーに位置する。また、上流のＩＡＢノード間にわたるＰＤＵの転送は、トンネル経由で行われる。したがって、複数のホップにわたる転送は、ネストされたトンネルのスタックを作成する。アーキテクチャ２ａにおけるように、各ＩＡＢノードは、有線バックホール・ネットワークへのＩＰコネクティビティを取得する。ＮＧ、Ｘｎ、Ｆ１、Ｎ４などのすべてのＩＰベースのインタフェースは、この転送ＩＰプレーンを介して搬送される。図１１の右側は、ＮＧ‐Ｕのプロトコル・スタック例を示す。
【００３２】
アーキテクチャ２ｃは、ＤＵ‐ＣＵ分離を活用する。ＩＡＢノードは、親ＩＡＢノード又はＩＡＢドナー上のＤＵとのＲＬＣチャネルを維持するＭＴを保持する。ＩＡＢドナーは、各ＩＡＢノードのＤＵについてＣＵ及びＵＰＦを保持する。各ＩＡＢノード上のＭＴはＣＵとのＮＲ‐Ｕｕリンクを維持し、ドナー上のＵＰＦとのＰＤＵセッションを維持する。中間ノード上での転送はトンネルを介して達成される。複数のホップにわたる転送は、ネストされたトンネルのスタックを作成する。アーキテクチャ２ａ及び２ｂにおけるように、各ＩＡＢノードは、有線バックホール・ネットワークへのＩＰコネクティビティを取得する。しかし、アーキテクチャ２ｂとは異なり、各トンネルは、ＳＤＡＰ／ＰＤＣＰレイヤを含む。ＮＧ、Ｘｎ、Ｆ１、Ｎ４などのすべてのＩＰベースのインタフェースは、この転送プレーンを介して搬送される。図１２の右側は、ＮＧ‐Ｕのプロトコル・スタック例を示す。
【００３３】
３ＧＰＰ  ＲＡＮ２合意から、（ＵＥとＩＡＢノードとの間の）アクセス・リンク上のＳＡ及びＮＳＡ（ＥＮ‐ＤＣ）の両方がサポートされるべきである。ＥＮ‐ＤＣを使用したＩＡＢの展開例は、一部がＩＡＢを使用してバックホールされる新しいマイクロ・ノードを追加することによって高密度化されるマクロ・グリッドＬＴＥネットワークでありうる。この例示的なシナリオで、図１３に示すように、マクロ・サイトは（ＬＴＥに加えて）ＮＲもサポートするようにアップグレードされ、マイクロ・サイトはＮＲのみをサポートする。
【００３４】
この場合、データ・ブーストとしてＬＴＥワイド・エリア・カバレッジ及びＮＲを利用してＥＮ‐ＤＣで動作することが可能であるべきである。ＥＮ‐ＤＣソリューションは理想的でないトランスポートを使用してＬＴＥとＮＲとを分離することを可能にする。これは、ＵＥにサービスするＮＲノードが別のＮＲノードを使用してワイヤレスでバックホールされるＩＡＢシナリオをＥＮ−ＤＣソリューションがサポートすることが実現可能である必要があることを意味する。図１４は、ＮＲ  ＩＡＢノードとラベル付けされたＮＲを介してワイヤレスでバックホールされているＮＲノードがＮＲ  ＳＣＧリンクにサービスするｅｎ‐ｇＮＢ‐ＤＵの機能を実行する、このシナリオのための例示的な論理アーキテクチャを示す。
【００３５】
Ｘ２インタフェース機能を含む既存のＥＮ‐ＤＣソリューションは、ＩＡＢノードでサポートされたＥＮ‐ＤＣ  ＵＥに適用可能である必要がある。アクセス・リンク上のＥＮ‐ＤＣをサポートするためのＩＡＢ固有の影響は、ＬＴＥ  ｅＮＢ上では予測されない。
【００３６】
統合されたアクセス及びバックホールは、スタンドアロンＮＲ展開においてもサポートされるべきであると想定される。このため、我々は、図１５に示すように、完全にＮＲのみの展開を可能にするために、アクセス・リンク及びバックホール・リンクの両方でスタンドアロンＮＲを使用する場合にも、標準はＩＡＢをサポートすべきであると想定する。
【００３７】
この標準は、アクセス・リンク及びバックホール・リンクの両方でスタンドアロンＮＲを使用する際にＩＡＢをサポートすべきである。
【００３８】
ＩＡＢバックホール・リンクがネットワーク内部リンクであると仮定すると、何百万ものデバイス／ＵＥ（レガシー・デバイスを含む）と相互作用する必要があるアクセス・リンクと比較して、このリンクを実現できる方法はより柔軟である。このため、ＥＮ‐ＤＣとＳＡ  ＮＲとの両方がバックホール・リンクでサポートされるべきかどうかを議論できる。バックホールのためにＥＮ‐ＤＣを使用するシナリオ及びそのハイレベル論理アーキテクチャを図１６に示す。
【００３９】
ＥＮ‐ＤＣをサポートするための１つの議論は、ネットワークの残り（パケット・コアを含む）がスタンドアロンＮＲをサポートしないならば、スタンドアロンＮＲを使用してＩＡＢノードを接続することが実現不可能であることである。
【発明の概要】
【００４０】
上述のように、ＩＡＢのためのいくつかの提案されたアーキテクチャがある。しかし、プロトコル・スタックの詳細、特に、適合レイヤがドナーＤＵ／ｇＮＢだけでなく、異なるＩＡＢノード上でどのようにセットアップされ、再構成されるかに関する詳細は、依然として未解決である。本書で開示される技術及び装置は、これらの未解決な側面のいくつかに対処する。
【００４１】
より詳細に、本書では適切な経路（すなわち、次のＩＡＢノード又は宛先ＵＥ）への着信パケットの適切なルーティング、並びに当該経路内の適切なベアラへのマッピングのために、ＩＡＢノード及びドナーＤＵ／ｇＮＢで必要とされる適合レイヤのセットアップ及び再構成のメカニズムについて説明する。これは、Ｆ１‐ＡＰ及びＲＲＣプロトコルを強化することによって実現される。本書に記載される技術は、既存のＲＲＣ及びＦ１‐ＡＰプロトコル、又は既存の手順を利用して、適切な経路（すなわち、次のノード）へのパケットのルーティング及びそれらを正しい経路内の適切なベアラへのマッピングに必要な適合レイヤのセットアップ及び再構成を実現する。
【００４２】
いくつかの実施形態によれば、中継ノードにおいて、適合レイヤを構成するための方法であって、中継ノードがドナー基地局の分散ユニットを介してドナー基地局の中央ユニットと通信する方法は、中継ノードがドナー基地局に接続することを含む。ドナー基地局は、中央ユニットと１つ以上の分散ユニットとを含み、中央ユニットと分散ユニットのそれぞれとの間にＦ１インタフェースが規定される。本方法は、接続を確立した後に、中継ノードのＭＴ部についてプロトコル・スタック内に適合レイヤを構成することを含み、適合レイヤは、中継ノードに接続された１つ以上のさらなる中継ノード又は１つ以上のＵＥへの着信パケットのルーティングと、当該着信パケットのベアラへのマッピングとを提供する。本方法は、中継ノードのＭＴ部について適合レイヤを構成した後に、ドナー基地局の中央ユニットと中継ノードの下流にある第１のさらなる中継ノードとの間で交換されるパケットを転送するために、中継ノードの分散ユニット部について適合レイヤを構成することをさらに含む。
【００４３】
いくつかの実施形態によれば、ドナー基地局の分散ユニットを通じてドナー基地局の中央ユニットと通信する中継ノードにおいて適合レイヤを構成するための方法は中央ユニットにおいて実行され、ドナー基地局は、中央ユニットと、アタッチされたノードと無線通信するための１つ以上の分散ユニットとを備え、中央ユニットと各分散ユニットとの間にＦ１インタフェースが規定される。本方法は、接続を確立した後に、中継ノードのＭＴ部との接続を確立するためにＲＲＣシグナリングを使用することと、中継ノードのＭＴ部についてプロトコル・スタック内に適合レイヤを構成するために中継ノードのＭＴ部とシグナリングすることであって、適合レイヤは、中継ノードに接続された１つ以上のさらなる中継ノード又は１つ以上のＵＥへの着信パケットのルーティングと、それらの着信パケットのベアラへのマッピングとを提供する、ことと、を含む。本方法は、ドナー基地局の分散ユニットにおいて適合レイヤを構成することをさらに含み、ドナー基地局の分散ユニットにおける適合レイヤは、ドナー基地局の下流にある１つ以上の中継ノードの適切な中継ノードに着信パケットをルーティングするように構成される。
【００４４】
本発明のさらなる側面は、上記に要約された方法に対応する中央ユニット、ＩＡＢ／中継ノード、及びコンピュータ・プログラム製品又はコンピュータ可読記憶媒体を対象とする。
【００４５】
当然のことながら、本発明は、上記の特徴及び利点に限定されるものではない。当業者は以下の詳細な説明を読み、添付の図面を見ると、さらなる特徴及び利点を認識するのであろう。
【図面の簡単な説明】
【００４６】
【図１】５Ｇの論理ネットワーク・アーキテクチャを説明する。
【図２】ｇＮＢの制御ユニット（ＣＵ）における制御プレーン（ＣＰ）とユーザ・プレーン（ＵＰ）との分離を示す。
【図３】デュアル・コネクティビティ・シナリオでのマスタｇＮＢベアラの処理を説明する。
【図４】デュアル・コネクティビティ・シナリオでのセカンダリｇＮＢベアラの処理を説明する。
【図５】５ＧのマルチＲＡＴデュアル・コネクティビティ（ＭＲ‐ＤＣ）の原理を説明する。
【図６】５ＧにおけるＭＲ‐ＤＣにおける分離ベアラ処理のための無線プロトコル・アーキテクチャを示す。
【図７】ＮＲにおけるＥＮ‐ＤＣを介した非スタンドアロン接続セットアップを説明する信号フロー図である。
【図８】ＩＡＢアーキテクチャ１ａの参照図を示す。
【図９】ＩＡＢアーキテクチャ１ｂの参照図を示す。
【図１０】ＩＡＢアーキテクチャ２ａの参照図を示す。
【図１１】ＩＡＢアーキテクチャ２ｂの参照図を示す。
【図１２】ＩＡＢアーキテクチャ２ｃの参照図を示す。
【図１３】ＥＮ‐ＤＣモードのＵＥと、ＩＡＢノードとがスタンドアロンＮＲを介して接続されたＩＡＢシナリオを説明する。
【図１４】図１３のシナリオに対応するＩＡＢ論理ネットワーク・アーキテクチャを説明する。
【図１５】ＵＥとＩＡＢノードとがスタンドアロンＮＲを介して接続されたＩＡＢシナリオを説明する。
【図１６】ＵＥといくつかのＩＡＢノードとがＥＮ‐ＤＣを介して接続されたＩＡＢアーキテクチャを示す。
【図１７】例示的なＩＡＢノード・コネクティビティ手順を説明する信号フロー図である。
【図１８】カスケードで追加されたＩＡＢノードの構成を説明する。
【図１９】並列にアタッチされたＩＡＢノードの構成を示す。
【図２０】ＩＡＢノードへのＵＥの接続を説明する。
【図２１】いくつかの実施形態によるワイヤレス・ネットワークを示す。
【図２２】いくつかの実施形態による例示的なユーザ機器（ＵＥ）を説明する。
【図２３】いくつかの実施形態による例示的な仮想化環境を説明する。
【図２４】いくつかの実施形態に従って、中間ネットワークを介してホスト・コンピュータに接続された電気通信ネットワークを示す。
【図２５】いくつかの実施形態による、基地局を介して、部分的にワイヤレス接続を通じてユーザ機器と通信するホスト・コンピュータを説明する。
【図２６】いくつかの実施形態による分散５Ｇアーキテクチャを有する基地局を示す。
【図２７】いくつかの実施形態による中央ユニットを示す。
【図２８】いくつかの実施形態による例示的な中央ユニット設計を説明する。
【図２９】いくつかの実施形態による例示的なＩＡＢ／中継ノードを説明する。
【図３０】いくつかの実施形態による、ホスト・コンピュータ、基地局、及びユーザ機器を含む通信システムにおいて実施される例示的な方法及び／又は手順を示す。
【図３１】いくつかの実施形態による、ホスト・コンピュータ、基地局、及びユーザ機器を含む通信システムにおいて実施される例示的な方法及び／又は手順を示す。
【図３２】いくつかの実施形態による、ホスト・コンピュータ、基地局、及びユーザ機器を含む通信システムにおいて実施される例示的な方法及び／又は手順を示す。
【図３３】いくつかの実施形態による、ホスト・コンピュータ、基地局、及びユーザ機器を含む通信システムにおいて実施される例示的な方法及び／又は手順を示す。
【図３４】ＩＡＢにおける例示的な方法を示すプロセスフロー図である。
【図３５】ドナー基地局における例示的な方法を示すプロセスフロー図である。
【発明を実施するための形態】
【００４７】
上記で簡単に要約した例示的な実施形態を、添付の図面を参照してより十分に説明する。これらの説明は、主題を当業者に説明するために例として提供され、本書に記載された実施形態のみに主題の範囲を限定するものとして解釈されるべきではない。より具体的には、上述の利点による様々な実施形態の動作を示す例が以下に提供される。
【００４８】
一般に、本書で使用されるすべての用語は、異なる意味が明確に与えられ、及び／又はそれが使用される文脈から暗示されない限り、関連する技術分野におけるそれらの通常の意味に従って解釈されるべきである。ａ／ａｎ／ｔｈｅが付いた要素、装置、コンポーネント、手段、ステップなどへの言及はすべて、特に明記しない限り、要素、装置、コンポーネント、手段、ステップなどの少なくとも１つのインスタンスを指すものとして開放的に解釈されるべきである。本書に開示される任意の方法及び／又は手順のステップは、ステップが別のステップの後又は前として明示的に記載されていない限り、及び／又はステップが別のステップの後又は前になければならないことが暗示されている場合を除いて、開示される正確な順序で実行される必要はない。本書に開示される実施形態のいずれかの任意の特徴は、適切な場合には任意の他の実施形態に適用できる。同様に、任意の実施形態の任意の利点は任意の他の実施形態に適用することができ、その逆も同様である。添付の実施形態の他の目的、特徴、及び利点は、以下の説明から明らかになるだろう。
【００４９】
繰り返すと、適切な経路（すなわち、次のＩＡＢノード又は宛先ＵＥ）への着信パケットの適切なルーティング、及び当該経路内の適切なベアラへのマッピングのために、ＩＡＢノード及びドナーＤＵ／ｇＮＢで必要とされる適合レイヤのセットアップ及び再構成のメカニズムが本書に詳細に記載されている。これは、Ｆ１‐ＡＰ及びＲＲＣプロトコルを強化することによって実現される。本書に記載される技術は、既存のＲＲＣ及びＦ１‐ＡＰプロトコル、又は既存の手順を利用して、適切な経路（すなわち、次のノード）へパケットをルーティングすることと、それらを正しい経路内の適切なベアラにマッピングすることとに必要な適合レイヤのセットアップ及び再構成を実現する。
【００５０】
以下の説明は、ＮＲエア・インタフェースを使用して、ＩＡＢノードがネットワークに向かって（チェーン上の次のＩＡＢノードに、又はチェーン内の最後のＩＡＢノードの場合にはドナーＤＵ／ｇＮＢに）接続される場合に焦点を当てる。したがって、ＮＲ  ＲＲＣプロトコルが想定される。しかし、本書に記載される技術は、これらのリンクがＬＴＥエア・インタフェースを使用している場合（例えば、上述のようなＥＮ‐ＤＣセッティングにおいて）にも等しく適用可能である。この場合に、ＲＲＣは、ＬＴＥ  ＲＲＣプロトコルを参照する。
【００５１】
さらに、本明細書は、上述したようなアーキテクチャ１ａ及び１ｂに焦点を当てている。しかし、これらの技術はアーキテクチャ１ａ及び１ｂのようにＣＵ／ＤＵ分離アーキテクチャを利用するように更新されるならば、例えばアーキテクチャ２変形にも等しく適用可能である。
【００５２】
最後に、本明細書は、適合レイヤのセットアップ／再構成側面に焦点を当て、したがって、制御プレーン・アーキテクチャ図及びＦ１‐ＡＰ／ＲＲＣ側面を議論し説明する。しかし、適合レイヤの実際の動作（すなわち、ルーティング及びマッピング）は、ユーザ・プレーン（ＵＰ）ＵＰと制御プレーン（ＣＰ）パケットとの両方に適用可能である。ＵＰパケットについて、適合レイヤのマッピングの一部は、ＧＴＰ‐Ｕ情報（例えば、ＧＴＰトンネルＩＤ、ポート番号など）に基づく。
【００５３】
この明細書で、関与するすべてのＩＡＢノードのＤＵ部分を同じＣＵが制御していると想定した。しかし、そうではなく、様々なＣＵがＩＡＢノードを制御してもよい。その場合に、適合レイヤのセットアップ／再構成の間にＣＵ間の通信が必要とされる。
【００５４】
ＩＡＢノード・セットアップ／動作の第１のフェーズにおいて、ＩＡＢノードは、事業者のネットワークへのＩＰコネクティビティを確立する。これにより、ＩＡＢノードは初期ＯＡＭ構成のためにＯＡＭ機能に到達することができ、また、セットアップ手順の第２のフェーズで実行されるＣＵへのコネクティビティをセットアップできる。この目的のために、１つの可能なオプションは、図１７に示されるように、レガシーＵＥアタッチ手順を検討し、それをＩＡＢノードの要件を満たすように調整することである。
【００５５】
適合レイヤは、ＩＡＢノードのセットアップ手順のこの第１のフェーズにおいて構成される必要がある。適合レイヤは、中継ノードがドナー基地局に接続した後に、例えば、（ＮＡＳレベルでの）ＰＤＵセッションが確立された後に、セットアップされうる。より具体的には、バックホール・リンク上の正しい無線ベアラへのマッピングだけでなく、ドナー・ノードのＤＵ部について適合レイヤを構成するように、「ＵＥコンテキスト・セットアップ」手順が修正されうる。一方、ＭＴスタックの適合レイヤは、ＤＲＢセットアップの一部であってもよい。
【００５６】
ＵＥコンテキスト・セットアップ及びデータ無線ベアラ・セットアップ手順は、ドナー・ノードの適合レイヤとＩＡＢノードのＭＴ部の構成に対して修正できることが分かった。したがって、適合レイヤは、（ＩＡＢノードのＭＴ部のための）ＰＤＵセッションが確立された後に、ＩＡＢノードのためのセットアップ手順の第１のフェーズにおいて構成されるべきである。さらに、ＭＴスタックの適合レイヤは、バックホール・リンク上のＤＲＢセットアップの一部として構成されるべきである。
【００５７】
ＭＴスタックの適合レイヤの構成が完了した後に、次のステップはＩＡＢノードのＤＵ部分をセットアップ／構成することである。この目的のために、ＭＴ部のための適合レイヤがセットアップされると、ＤＵ機能のセットアップ／構成をトリガするメカニズムが必要とされる。よって、ＩＡＢノードのＭＴ部の適合レイヤは、ＩＡＢノードのＤＵ機能をセットアップする前に構成される。
【００５８】
その後、最初のＩＡＢノードを介して、別のＩＡＢノードがＭＴとしてネットワークに接続されうる（すなわち、マルチホップ・セットアップ）。そして、この第２のレベルのＩＡＢノードのＭＴ部のためのセットアップ・プロセス中に、第１のＩＡＢノードのＤＵ部の適合レイヤも構成されるべきである。よって、ＩＡＢノードのＤＵ部の適合レイヤは、別のＩＡＢノードがＭＴとしてそれに接続する場合に構成される必要がある（すなわち、マルチホップ・セットアップ）ことがさらに観察されうる。
【００５９】
ＲＲＣ接続手順はＭＴスタックのための適合レイヤをセットアップするために使用されうるが、Ｆ１‐ＡＰはＩＡＢノードのＤＵ部だけでなくドナーＤＵのための適合レイヤを構成するために採用されうる。ＭＴのための適合レイヤは、Ｆ１シグナリングをセットアップする前に配置されなければならない。
【００６０】
よって、現在開示されている技術のいくつかの実施形態で、ＲＲＣプロトコルは、ＩＡＢノードのＭＴ部のための適合レイヤをセットアップするために使用される。Ｆ１‐ＡＰは、ＩＡＢノードのＤＵ部分並びにドナーＤＵのための適合レイヤをセットアップするために採用されてもよい。ＩＡＢノードのＭＴ部のための適合レイヤは、ＩＡＢノードのＤＵ部のためのＦ１シグナリングをセットアップする前に配置されるべきであることに留意されたい。
【００６１】
よって、図１７に示されるシグナリング・メッセージの内容は、ＩＡＢノードの両方の部分のための適合レイヤのセットアップを含むように修正／強化されるべきである。
【００６２】
アーキテクチャ１ａ及び１ｂについて、新しいＩＡＢノードがネットワークにアタッチされるたびに、すでに接続されているＩＡＢ  ＤＵ（及びドナーＤＵ）の適合レイヤが更新／修正される必要がある。これは図１８に示されており、必要な再構成を行うためにＦ１‐ＡＰが使用される。したがって、現在開示されている技術のいくつかの実施形態で、ＩＡＢノードの適合レイヤがＦ１‐ＡＰで再構成／更新される。
【００６３】
図１９は、ネットワークに並列にアタッチされたＩＡＢノードのＭＴ部の例（つまり、同じホップレベルでのＩＡＢノードの追加）を示す。一般に、並列の場合とカスケードの場合との間に有意な差はなく、いずれの場合も、再構成のためにＦ１‐ＡＰが使用されるが、ただし、ネットワークにアタッチされたすべてのＩＡＢノードのＭＴ部のためのＲＲＣプロトコルは同じ数のホップを横断する。カスケードの場合と同様に、ここでは中間ＩＡＢノード（及びドナーＤＵ）の適合レイヤも、他のＩＡＢノード向けのパケットをルーティングできるようにするように更新／修正されるべきである。
【００６４】
図２０は、ＩＡＢノードにアタッチするＵＥの例を示す。上記の２つの場合／例とは異なり、この場合に、ＩＡＢ１ノードは最後のノードである（すなわち、さらなるホップはない）。上記の場合のように、ＩＡＢノードの適合レイヤを再構成するためにＦ１‐ＡＰが使用される。一方、ドナー・ノード（並びに中間ノード）のＤＵ部のための適合レイヤは、ＩＡＢノードのＭＴ部及びＤＵ部のために異なるＩＰアドレスが使用されるか又は同じＩＰアドレスが使用されるか、ＵＥのベアラにマッピングされうるバックホール・ベアラ・セットアップがすでに存在するかどうか、及び／又はすべてのバックホール・ノードにおいて静的マッピングが使用されるかどうか（例えば、所与のＱｏＳのベアラに関連付けられたポート番号の所定の範囲）などのいくつかの要因に応じて、再構成される必要があってもよいし、そうでなくてもよい。
【００６５】
本書で説明される主題は任意の好適なコンポーネントを使用して任意の適切なタイプのシステムで実施できるが、本書で開示される実施形態は図２１に説明される例示的なワイヤレス・ネットワークのようなワイヤレス・ネットワークに関連して説明される。簡潔にするために、図２１のワイヤレス・ネットワークは、ネットワーク２１０６、ネットワーク・ノード２１６０及び２１６０ｂ、並びにＷＤ２１１０、２１１０ｂ、及び２１１０ｃのみを示す。実際には、ワイヤレス・ネットワークは、ワイヤレス・デバイス間の通信や、ワイヤレス・デバイスと、別の通信デバイス、例えば、固定電話、サービス・プロバイダ、又は任意の他のネットワーク・ノード又はエンド・デバイスとの間の通信をサポートするのに適した任意の追加要素をさらに含みうる。図示されたコンポーネントのうち、ネットワーク・ノード２１６０及びワイヤレス・デバイス（ＷＤ）２１１０が、さらなる詳細とともに示されている。ワイヤレス・ネットワークは、ワイヤレス・ネットワークによって、又はワイヤレス・ネットワークを介して提供されるサービスへのワイヤレス・デバイスのアクセス及び／又はサービスの使用を容易にするために、１つ以上のワイヤレス・デバイスに通信及び他のタイプのサービスを提供できる。
【００６６】
ワイヤレス・ネットワークは、任意のタイプの通信、電気通信、データ、セルラ、及び／又は無線ネットワーク、あるいは他の同様のタイプのシステムを備えるか、これらとやり取りできる。いくつかの実施形態で、ワイヤレス・ネットワークは、特定の標準又は他のタイプの事前規定されたルール又は手順に従って動作するように構成されうる。よって、ワイヤレス・ネットワークの特定の実施形態は、グローバル・システム・フォー・モバイル・コミュニエｋ−ション（ＧＳＭ）、ユニバーサル・モバイル・テレコミュニケーション・システム（ＵＭＴＳ）、ロング・ターム・エボリューション（ＬＴＥ）、及び／又は他の適切な２Ｇ、３Ｇ、４Ｇ、又は５Ｇ標準、ＩＥＥＥ８０２．１１標準などのワイヤレス・ローカル・エリア・ネットワーク（ＷＬＡＮ）標準、及び／又はワールドワイド・インタオペラビリティ・フォー・マイクロ波アクセス（ＷｉＭａｘ）、ブルートゥース、Ｚウェーブ、及び／又はＺｉｇＢｅｅ標準のような通信標準を実施しうる。
【００６７】
ネットワーク２１０６は、１つ以上のバックホール・ネットワーク、コア・ネットワーク、ＩＰネットワーク、公衆交換電話網（ＰＴＳＮ）、パケット・データ・ネットワーク、光ネットワーク、ワイド・エリア・ネットワーク（ＷＡＮ）、ローカル・エリア・ネットワーク（ＬＡＮ）、ワイヤレス・ローカル・エリア・ネットワーク（ＷＬＡＮ）、有線ネットワーク、ワイヤレス・ネットワーク、メトロポリタン・エリア・ネットワーク、及びデバイス間の通信を可能にする他のネットワークを含みうる。
【００６８】
ネットワーク・ノード２１６０及びＷＤ２１１０は、以下でより詳細に説明する様々なコンポーネントを備える。これらのコンポーネントは、ワイヤレス・ネットワークでワイヤレス接続を提供するなど、ネットワーク・ノード及び／又はワイヤレス・デバイス機能を提供するために連携する。様々な実施形態で、ワイヤレス・ネットワークは、任意の数の有線又はワイヤレス・ネットワーク、ネットワーク・ノード、基地局、コントローラ、ワイヤレス・デバイス、中継局、及び／又は有線接続を介するか又はワイヤレス接続を介するかにかかわらず、データ及び／又は信号の通信を容易にするか又は参加できる任意の他のコンポーネント又はシステムを備えることができる。
【００６９】
本書で使用されるように、ネットワーク・ノードは、ワイヤレス・デバイスと直接的又は間接的に通信し、及び／又はワイヤレス・ネットワーク内の他のネットワーク・ノード又は機器と通信して、ワイヤレス・デバイスへのワイアレス・アクセスを可能にし及び／又は提供し、及び／又はワイヤレス・ネットワーク内の他の機能（例えば、管理）を実行することが可能か、このように構成され、配置され、及び／又は動作可能な機器を指す。ネットワーク・ノードの例は、アクセス・ポイント（ＡＰ）（例えば、無線アクセス・ポイント）、基地局（ＢＳ）（例えば、無線基地局、ノードＢ、発展型ノードＢ（ｅＮＢ）及びＮＲノードＢ（ｇＮＢ））を含むが、これらに限定されない。基地局は、それらが提供する（又は別の言い方をすれば、それらが電力レベルを送信する）カバレッジの量に基づいて分類されることができ、そして、フェムト基地局、ピコ基地局、マイクロ基地局、又はマクロ基地局とも呼ばれることができる。基地局は、中継を制御する中継ノード又は中継ドナー・ノードでありうる。ネットワーク・ノードはまた、集中型デジタル・ユニット及び／又は遠隔無線ユニット（ＲＲＵ）（遠隔無線ヘッド（ＲＲＨ）と呼ばれることもある）などの分散型無線基地局の１つ以上の（又はすべての）部分を含むことができる。このような遠隔無線ユニットは、アンテナ一体型無線機としてアンテナと一体化されてもよいし、されなくてもよい。分散無線基地局の一部は、分散アンテナシステム（ＤＡＳ）におけるノードとも呼ぶことができる。
【００７０】
ネットワーク・ノードのさらなる例は、ＭＳＲ  ＢＳなどのマルチ標準無線（ＭＳＲ）機器、無線ネットワーク・コントローラ（ＲＮＣ）又は基地局コントローラ（ＢＳＣ）などのネットワーク・コントローラ、基地送受信局（ＢＴＳ）、送信ポイント、送信ノード、マルチセル／マルチキャスト調整エンティティ（ＭＣＥ）、コア・ネットワーク・ノード（例えば、ＭＳＣ、ＭＭＥ）、Ｏ＆Ｍノード、ＯＳＳノード、ＳＯＮノード、測位ノード（例えば、Ｅ‐ＳＭＬＣ）、及び／又はＭＤＴを含む。別の例として、ネットワーク・ノードは、以下により詳細に説明するように、仮想ネットワーク・ノードでありうる。しかし、より一般的に、ネットワーク・ノードは、ワイヤレス・ネットワークへのアクセスを有するワイヤレス・デバイスを可能にし及び／又は提供し、又はワイヤレス・ネットワークにアクセスしたワイヤレス・デバイスに何らかのサービスを提供することが可能であるか、そのように構成、配置、及び／又は動作可能な任意の適当なデバイス（又はデバイスのグループ）を表すことができる。
【００７１】
図２１において、ネットワーク・ノード２１６０は、処理回路２１７０、デバイス可読媒体２１８０、インタフェース２１９０、補助機器２１８４、電源２１８６、電力回路２１８７、及びアンテナ２１６２を含む。図２１の例示的なワイヤレス・ネットワークに示されたネットワーク・ノード２１６０はハードウェア・コンポーネントの図示された組合せを含むデバイスを表すことができるが、他の実施形態はコンポーネントの異なる組合せを有するネットワーク・ノードを備えることができる。ネットワーク・ノードは、本書で開示されるタスク、特徴、機能、及び方法、及び／又は手順を実行するために必要とされるハードウェア及び／又はソフトウェアの任意の適切な組合せを備えることを理解されたい。さらに、ネットワーク・ノード２１６０のコンポーネントがより大きなボックス内に配置された単一のボックスとして描かれているか、又は複数のボックス内にネストされているが、実際にはネットワーク・ノードは、単一の説明されたコンポーネントを構成する複数の異なる物理コンポーネントを備えることができる（例えば、デバイス可読媒体２１８０は複数の個別のハードドライブと、複数のＲＡＭモジュールとを含むことができる）。
【００７２】
同様に、ネットワーク・ノード２１６０は、複数の物理的に別個のコンポーネント（例えば、ｇＮＢ  ＣＵ及びｇＮＢ  ＤＵ、ＩＡＢ  ＭＴ部及びＩＡＢ分散ユニット部など）から構成されてもよく、これらはそれぞれ、それら自体の個別のコンポーネントを有しうる。ネットワーク・ノード２１６０が複数の別個のコンポーネント（例えば、ＢＴＳ及びＢＳＣコンポーネント）を含む特定のシナリオで、別個のコンポーネントのうちの１つ以上は、いくつかのネットワーク・ノード間で共有されうる。いくつかの実施形態で、ネットワーク・ノード２１６０は、複数の無線アクセス技術（ＲＡＴ）をサポートするように構成されうる。そのような実施形態で、いくつかのコンポーネントが複製されてもよく（例えば、異なるＲＡＴについて別個のデバイス可読媒体２１８０）、いくつかのコンポーネントは再使用されてもよい（例えば、同じアンテナ２１６２はＲＡＴによって共有されることができる）。ネットワーク・ノード２１６０はまた、例えば、ＧＳＭ、ＷＣＤＭＡ、ＬＴＥ、ＮＲ、ＷｉＦｉ、又はブルートゥース・ワイヤレス技術のような、ネットワーク・ノード２１６０に統合された異なるワイヤレス・技術のための様々な説明されたコンポーネントの複数のセットを含むことができる。これらのワイヤレス技術は、ネットワーク・ノード２１６０内の同じ又は異なるチップ又はチップ集合及び他のコンポーネントに統合されうる。
【００７３】
処理回路２１７０は、ネットワーク・ノードによって提供されるものとして本書で説明される任意の判定、計算、又は類似の動作（例えば、特定の取得動作）を実行するように構成されうる。処理回路２１７０によって実行されるこれらの動作は例えば、取得された情報を他の情報に変換すること、取得された情報又は変換された情報をネットワーク・ノードに記憶された情報と比較すること、及び／又は取得された情報又は変換された情報に基づいて１つ以上の動作を実行すること、及当該処理の結果として判定を行うことによって、処理回路２１７０によって取得された情報を処理することを含みうる。
【００７４】
処理回路２１７０は、マイクロプロセッサ、コントローラ、マイクロコントローラ、中央演算ユニット、デジタル信号プロセッサ、特定用途向け集積回路、フィールド・プログラマブル・ゲート・アレイ、又は任意の他の適切なコンピューティング・デバイス、リソース、又はハードウェア、ソフトウェア、及び／又は符号化ロジックの組合せのうちの１つ以上の組合せを備えることができ、これらは、単独で、又はデバイス可読媒体２１８０、ネットワーク・ノード２１６０機能などの他のネットワーク・ノード２１６０コンポーネントと併せてのいずれかで提供するように動作可能である。例えば、処理回路２１７０は、デバイス可読媒体２１８０又は処理回路２１７０内のメモリに記憶された命令を実行できる。そのような機能は、本書で説明される様々なワイヤレス特徴、機能、又は利益のいずれかを提供することを含みうる。いくつかの実施形態で、処理回路２１７０はシステム・オン・チップ（ＳＯＣ）を含みうる。
【００７５】
いくつかの実施形態で、処理回路２１７０は、高周波（ＲＦ）送受信機回路２１７２及びベースバンド処理回路２１７４のうちの１つ以上を含んでもよい。いくつかの実施形態で、高周波（ＲＦ）送受信機回路２１７２及びベースバンド処理回路２１７４は、無線ユニット及びデジタル・ユニットなどの、別個のチップ（又はチップの集合）、ボード、又はユニット上にあってもよい。代替の実施形態で、ＲＦ送受信機回路２１７２及びベースバンド処理回路２１７４の一部又は全部は、同じチップ又はチップの集合、ボード、又はユニット上にあってもよい。
【００７６】
いくつかの実施形態で、ネットワーク・ノード、基地局、ｅＮＢ、又は他のそのようなネットワーク・デバイスによって提供されるものとして本書で説明される機能のいくつか又はすべては、デバイス可読媒体２１８０又は処理回路２１７０内のメモリ上に記憶された命令を処理回路２１７０が実行することによって実行されうる。代替の実施形態で、機能のいくつか又はすべては、ハードワイヤード方式などで、別個の又は個別のデバイス可読媒体上に記憶された命令を実行することなく、処理回路２１７０によって提供されうる。これらの実施形態のいずれにおいても、デバイス可読記憶媒体上に記憶された命令を実行するか否かにかかわらず、処理回路２１７０は、説明された機能を実行するように構成されうる。そのような機能性によって提供される利点は、処理回路２１７０単独又はネットワーク・ノード２１６０の他のコンポーネントに限定されず、ネットワーク・ノード２１６０全体によって、及び／又はエンド・ユーザ及びワイヤレス・ネットワーク全体によって享受される。
【００７７】
デバイス可読媒体２１８０は、限定されるものではないが、永続的記憶装置、ソリッド・ステート・メモリ、遠隔でマウントされたメモリ、磁気媒体、光学媒体、ランダム・アクセス・メモリ（ＲＡＭ）、リード・オンリ・メモリ（ＲＯＭ）、大容量記憶媒体（例えば、ハードディスク）、取り外し可能記憶媒体（例えば、フラッシュ・ドライブ、コンパクト・ディスク（ＣＤ）又はデジタル・ビデオ・ディスク（ＤＶＤ））、及び／又は処理回路２１７０によって使用されうる情報、データ、及び／又は命令を記憶する他の任意の揮発性又は不揮発性の非一時的なデバイス可読及び／又はコンピュータ実行可能メモリ・デバイスを含む、任意の形態の揮発性又は不揮発性コンピュータ可読メモリを含みうる。デバイス可読媒体２１８０は、コンピュータ・プログラム、ソフトウェア、ロジック、ルール、コード、テーブルなどのうちの１つ以上を含むアプリケーション、及び／又は処理回路２１７０によって実行され、ネットワーク・ノード２１６０によって利用されることが可能な他の命令を含む、任意の適切な命令、データ、又は情報を記憶できる。デバイス可読媒体２１８０は、処理回路２１７０によって行われた任意の演算、及び／又はインタフェース２１９０を介して受信された任意のデータを記憶するために使用されうる。いくつかの実施形態で、処理回路２１７０及びデバイス可読媒体２１８０は一体化されていると考えることができる。
【００７８】
インタフェース２１９０は、ネットワーク・ノード２１６０、ネットワーク２１０６、及び／又はＷＤ２１１０間のシグナリング及び／又はデータの有線又はワイヤレス通信で使用される。説明されるように、インタフェース２１９０は、例えば有線接続を介してネットワーク２１０６へ又はネットワーク２１０６からデータを送受信するためのポート／端子２１９４を備える。インタフェース２１９０はまた、アンテナ２１６２に、又は特定の実施形態でその一部に結合されうる無線フロントエンド回路２１９２を含む。無線フロントエンド回路２１９２は、フィルタ２１９８及び増幅器２１９６を含む。無線フロントエンド回路２１９２は、アンテナ２１６２及び処理回路２１７０に接続されうる。無線フロントエンド回路は、アンテナ２１６２と処理回路２１７０との間で通信される信号を条件付けるように構成されうる。無線フロントエンド回路２１９２は、ワイヤレス接続を介して他のネットワーク・ノード又はＷＤに送出されるデジタル・データを受信できる。無線フロントエンド回路２１９２は、フィルタ２１９８及び／又は増幅器２１９６の組合せを使用して、デジタル・データを、適切なチャネル及び帯域幅パラメータを有する無線信号に変換できる。そして、無線信号は、アンテナ２１６２を介して送信されうる。同様に、データを受信する際に、アンテナ２１６２は無線信号を収集し、次いで、無線フロントエンド回路２１９２によってデジタル・データに変換されうる。デジタル・データは、処理回路２１７０に渡されうる。他の実施形態で、インタフェースは、異なるコンポーネント及び／又はコンポーネントの異なる組み合わせを含みうる。
【００７９】
所定の代替の実施形態で、ネットワーク・ノード２１６０は、別個の無線フロントエンド回路２１９２を含んでいなくてもよく、代わりに、処理回路２１７０が無線フロントエンド回路を含んでもよく、別個の無線フロントエンド回路２１９２を伴わずにアンテナ２１６２に接続されてもよい。同様に、いくつかの実施形態で、ＲＦ送受信機回路２１７２のすべて又はいくつかはインタフェース２１９０の一部と見なされうる。さらに他の実施形態で、インタフェース２１９０は、無線ユニット（図示せず）の一部として、１つ以上のポート又は端子２１９４、無線フロントエンド回路２１９２、及びＲＦ送受信機回路２１７２を含むことができ、インタフェース２１９０はデジタル・ユニット（図示せず）の一部であるベースバンド処理回路２１７４と通信できる。
【００８０】
アンテナ２１６２は、ワイヤレス信号を送信及び／又は受信するように構成された１つ以上のアンテナ、又はアンテナ・アレイを含みうる。アンテナ２１６２は、無線フロントエンド回路２１９０に結合されることができ、データ及び／又は信号を無線で送受信できる任意のタイプのアンテナでありうる。いくつかの実施形態で、アンテナ２１６２は、例えば、２ＧＨｚと６６ＧＨｚとの間で無線信号を送受信するように動作可能な、１つ以上の無指向性、セクター又はパネル・アンテナを備えることができる。無指向性アンテナは任意の方向に無線信号を送受信するために使用されることができ、セクタ・アンテナは特定のエリア内のデバイスから無線信号を送受信するために使用されることができ、パネル・アンテナは、比較的直線上に無線信号を送受信するために使用する視線アンテナでありうる。いくつかの例で、複数のアンテナの使用をＭＩＭＯと呼ぶことができる。所定の実施形態で、アンテナ２１６２がネットワーク・ノード２１６０とは別個であってもよく、インタフェース又はポートを介してネットワーク・ノード２１６０に接続可能であってもよい。
【００８１】
アンテナ２１６２、インタフェース２１９０、及び／又は処理回路２１７０は、ネットワーク・ノードによって実行されるものとして本書で説明される任意の受信動作及び／又は所定の取得動作を実行するように構成されうる。ワイヤレス・デバイス、別のネットワーク・ノード、及び／又は任意の他のネットワーク機器から、任意の情報、データ、及び／又は信号が受信されうる。同様に、アンテナ２１６２、インタフェース２１９０、及び／又は処理回路２１７０は、ネットワーク・ノードによって実行されるものとして本書に記載される任意の送信動作を実行するように構成されうる。ワイヤレス・デバイス、別のネットワーク・ノード、及び／又は任意の他のネットワーク機器へ、任意の情報、データ、及び／又は信号が送信されうる。
【００８２】
電力回路２１８７は電力管理回路を備えることができ、又は電力管理回路に結合されることができ、本書に記載される機能を実行するための電力をネットワーク・ノード２１６０のコンポーネントに供給するように構成されうる。電力回路２１８７は、電源２１８６から電力を受け取ることができる。電源２１８６及び／又は電力回路２１８７は、個別のコンポーネントに適した形態（例えば、各個別のコンポーネントに必要な電圧及び電流レベル）で、ネットワーク・ノード２１６０の様々なコンポーネントに電力を提供するように構成されうる。電源２１８６は、電力回路２１８７及び／又はネットワーク・ノード２１６０内に含まれても、又はその外部に含まれてもよい。例えば、ネットワーク・ノード２１６０は、電気ケーブルなどの入力回路又はインタフェースを介して、外部電源（例えば、電気コンセント）に接続可能であり、それによって、外部電源は、電力回路２１８７に電力を供給する。さらなる例として、電源２１８６は、電力回路２１８７に接続される、又は統合される、バッテリ又はバッテリ・パックの形態の電源を含んでもよい。外部電源に障害が発生した場合に、バッテリはバックアップ電力を提供できる。光起電装置のような他のタイプの電源も使用されうる。
【００８３】
ネットワーク・ノード２１６０の代替的な実施形態は、本書で説明される機能のいずれか、及び／又は本書で説明される主題をサポートするために必要な任意の機能を含む、ネットワーク・ノードの機能の所定の側面を提供する責任を負うことができる、図２１に示されるものを超える追加のコンポーネントを含みうる。例えば、ネットワーク・ノード２１６０は、ネットワーク・ノード２１６０への情報の入力を可能及び／又は容易にし、ネットワーク・ノード２１６０からの情報の出力を可能及び／又は容易にするためのユーザ・インタフェース機器を含みうる。これにより、ユーザはネットワーク・ノード２１６０の診断、保守、修理、及びその他の管理機能を実行することが可能になり、及び／又は容易になる。
【００８４】
本書で使用されるように、ワイヤレス・デバイス（ＷＤ）は、ネットワーク・ノード及び／又は他のワイヤレス・デバイスと無線で通信できる、構成される、配置される、及び／又は動作可能なデバイスを指す。特に断らない限り、ＷＤという用語は、本書でユーザ機器（ＵＥ）と互換的に使用されうる。無線で通信することは、電磁波、電波、赤外線、及び／又は空気を通じて情報を伝達するのに適した他のタイプの信号を使用して、ワイヤレス信号を送信及び／又は受信することを含みうる。いくつかの実施形態で、ＷＤは、直接的な人間の対話なしに情報を送信及び／又は受信するように構成されうる。例えば、ＷＤは、所定のスケジュールで、内部又は外部イベントによってトリガされたときに、又はネットワークからの要求に応じて、ネットワークへ情報を送信するように設計されうる。ＷＤの例は、スマートフォン、モバイル電話、携帯電話、ボイス・オーバＩＰ（ＶｏＩＰ）電話、ワイヤレス・ローカル・ループ電話、デスクトップ・コンピュータ、パーソナル・デジタル・アシスタント（ＰＤＡ）、ワイヤレス・カメラ、ゲーム・コンソール又はデバイス、音楽記憶装置、再生装置、ウェアラブル端末デバイス、ワイヤレス・エンドポイント、移動局、タブレット、ラップトップ、ラップトップ埋め込み機器（ＬＥＥ）、ラップトップ搭載機器（ＬＭＥ）、スマート・デバイス、ワイヤレス顧客構内装置（ＣＰＥ）、車載ワイヤレス端末デバイスなどを含むが、これらに限定されない。
【００８５】
ＷＤは例えば、サイドリンク通信、車車間通信（Ｖ２Ｖ）、車対インフラストラクチャ（Ｖ２Ｉ）、車対エブリシング通信（Ｖ２Ｘ）のための３ＧＰＰ標準を実施することによって、デバイス・ツー・デバイス（Ｄ２Ｄ）通信をサポートすることができ、この場合に、Ｄ２Ｄ通信デバイスと呼ぶことができる。さらに別の特定の例として、モノのインターネット（ＩｏＴ）シナリオで、ＷＤは、監視及び／又は測定を実行し、そのような監視及び／又は測定の結果を別のＷＤ及び／又はネットワーク・ノードへ送信する機械又は他のデバイスを表すことができる。この場合、ＷＤはマシン・ツー・マシン（Ｍ２Ｍ）デバイスであってもよく、３ＧＰＰ文脈で、ＭＴＣデバイスと呼ばれることができる。１つの特定の例として、ＷＤは、３ＧＰＰ狭帯域モノのインターネット（ＮＢ‐ＩｏＴ）標準を実施するＵＥでありうる。そのような機械又はデバイス置の特定の例は、センサ、電力計、産業機械などの計量デバイス、又は家庭用もしくは個人用機器（例えば、冷蔵庫、テレビなど）、個人用ウェアラブル（例えば、時計、フィットネス・トラッカなど）である。
他のシナリオで、ＷＤは、その動作状態又はその動作に関連する他の機能を監視及び／又は報告できる車両又は他の機器を表すことができる。上記のようなＷＤは、ワイヤレス接続のエンドポイントを表すことができる。この場合、デバイスはワイヤレス端末と呼ばれる。さらに、上述のようなＷＤはモバイルであってもよく、その場合、モバイル・デバイス又はモバイル端末とも呼ばれることができる。
【００８６】
説明されるように、ワイヤレス・デバイス２１１０は、アンテナ２１１１、インタフェース２１１４、処理回路２１２０、デバイス可読媒体２１３０、ユーザ・インタフェース機器２１３２、補助機器２１３４、電源２１３６、及び電力回路２１３７を含む。ＷＤ２１１０は、ほんの数例を挙げると、例えば、ＧＳＭ、ＷＣＤＭＡ、ＬＴＥ、ＮＲ、ＷｉＦｉ、ＷｉＭＡＸ、又はブルートゥース無線技術のような、ＷＤ２１１０によってサポートされる異なるワイヤレス技術のための例示されたコンポーネントのうちの１つ以上の複数の集合を含みうる。これらのワイヤレス技術は、ＷＤ２１１０内の他のコンポーネントと同じ又は異なるチップ又はチップの集合に統合されうる。
【００８７】
アンテナ２１１１は、ワイヤレス信号を送信及び／又は受信するように構成された１つ以上のアンテナ又はアンテナ・アレイを含んでもよく、インタフェース２１１４に接続される。特定の代替実施形態で、アンテナ２１１１は、ＷＤ２１１０とは別個であってもよく、インタフェース又はポートを通じてＷＤ２１１０に接続可能であってもよい。アンテナ２１１１、インタフェース２１１４、及び／又は処理回路２１２０は、ＷＤによって実行されるものとして本書で説明される任意の受信動作又は送信動作を実行するように構成されうる。ネットワーク・ノード及び／又は別のＷＤから、任意の情報、データ、及び／又は信号が受信されうる。いくつかの実施形態で、無線フロントエンド回路及び／又はアンテナ２１１１は、インタフェースとみなされうる。
【００８８】
説明されるように、インタフェース２１１４は、無線フロントエンド回路２１１２及びアンテナ２１１１を備える。無線フロントエンド回路２１１２は、１つ以上のフィルタ２１１８及び増幅器２１１６を備える。無線フロントエンド回路２１１４は、アンテナ２１１１及び処理回路２１２０に接続され、アンテナ２１１１と処理回路２１２０との間で通信される信号を条件付けるように構成されうる。無線フロントエンド回路２１１２は、アンテナ２１１１に結合されうるか、又はその一部でありうる。いくつかの実施形態で、ＷＤ２１１０は、別個の無線フロントエンド回路２１１２を含んでいなくてもよく、むしろ、処理回路２１２０が無線フロントエンド回路を含んでもよく、アンテナ２１１１に接続されてもよい。同様に、いくつかの実施形態で、ＲＦ送受信機回路２１２２の一部又は全部は、インタフェース２１１４の一部とみなされうる。無線フロントエンド回路２１１２は、ワイヤレス接続を介して他のネットワーク・ノード又はＷＤに送出されるデジタル・データを受信できる。無線フロントエンド回路２１１２は、フィルタ２１１８及び／又は増幅器２１１６の組合せを使用して、デジタル・データを、適切なチャネル及び帯域幅パラメータを有する無線信号に変換できる。次いで、無線信号は、アンテナ２１１１を介して送信されうる。同様に、データを受信する場合に、アンテナ２１１１は、無線信号を収集でき、これは、次いで、無線フロントエンド回路２１１２によってデジタル・データに変換される。デジタル・データは、処理回路２１２０に渡されうる。他の実施形態で、インタフェースは、異なるコンポーネント及び／又はコンポーネントの異なる組み合わせを含みうる。
【００８９】
処理回路２１２０は、マイクロプロセッサ、コントローラ、マイクロコントローラ、中央処理ユニット、デジタル信号プロセッサ、特定用途向け集積回路、フィールド・プログラマブル・ゲート・アレイ、又は任意の他の適切なコンピューティング・デバイス、リソース、又はハードウェア、ソフトウェア、及び／又は符号化ロジックの組合せのうちの１つ以上の組合せを備えることができ、これらは、単独で、又はデバイス可読媒体２１３０、ＷＤ２１１０機能などの他のＷＤ２１１０コンポーネントと併せてのいずれかで提供するように動作可能である。そのような機能は、本書で説明される様々なワイヤレス特徴又は利点のいずれかを提供することを含みうる。例えば、処理回路２１２０は、本書で開示される機能を提供するために、デバイス可読媒体２１３０又は処理回路２１２０内のメモリに記憶された命令を実行できる。
【００９０】
説明されるように、処理回路２１２０は、ＲＦ送受信機回路２１２２、ベースバンド処理回路２１２４、及びアプリケーション処理回路２１２６のうちの１つ以上を含む。他の実施形態で、処理回路は、異なるコンポーネント及び／又はコンポーネントの異なる組み合わせを備えることができる。特定の実施形態で、ＷＤ２１１０の処理回路２１２０は、ＳＯＣを備えることができる。いくつかの実施形態で、ＲＦ送受信機回路２１２２、ベースバンド処理回路２１２４、及びアプリケーション処理回路２１２６は別個のチップ又はチップの集合上にありうる。代替の実施形態で、ベースバンド処理回路２１２４及びアプリケーション処理回路２１２６の一部又は全部は、１つのチップ又はチップの集合に組み合わされてもよく、ＲＦ送受信機回路２１２２は別個のチップ又はチップの集合上にあってもよい。さらに代替的な実施形態で、ＲＦ送受信機回路２１２２及びベースバンド処理回路２１２４の一部又は全部が同一チップ又はチップセット上にあってもよく、アプリケーション処理回路２１２６が別個のチップ又はチップセット上にあってもよい。さらに他の代替実施形態で、ＲＦ送受信機回路２１２２、ベースバンド処理回路２１２４、及びアプリケーション処理回路２１２６の一部又は全部は、同じチップ又はチップの集合で組み合わされてもよい。いくつかの実施形態で、ＲＦ送受信機回路２１２２はインタフェース２１１４の一部でありうる。ＲＦ送受信機回路２１２２は、処理回路２１２０のためのＲＦ信号を条件付けることができる。
【００９１】
特定の実施形態で、ＷＤによって実行されるものとして本書で説明される機能の一部又はすべては、所定の実施形態でコンピュータ可読記憶媒体でありうるデバイス可読媒体２１３０上に記憶された命令を処理回路２１２０が実行することによって提供されうる。代替の実施形態で、機能のいくつか又はすべては、ハードワイヤード方式などで、別個の又は個別のデバイス可読記憶媒体上に記憶された命令を実行することなく、処理回路２１２０によって提供されうる。これらの特定の実施形態のいずれにおいても、デバイス可読記憶媒体上に記憶された命令を実行するか否かにかかわらず、処理回路２１２０は、説明された機能を実行するように構成されうる。そのような機能によって提供される利点は、処理回路２１２０単独又はＷＤ２１１０の他のコンポーネントに限定されず、ＷＤ２１１０全体によって及び／又はエンド・ユーザ及びワイヤレス・ネットワーク全体によって享受される。
【００９２】
処理回路２１２０は、ＷＤによって実行されるものとして本書で説明される任意の判定、計算、又は類似の動作（例えば、所定の取得動作）を実行するように構成されうる。処理回路２１２０によって実行されるようなこれらの動作は、例えば、取得された情報を他の情報に変換すること、取得された情報又は変換された情報をＷＤ２１１０によって記憶された情報と比較すること、及び／又は取得された情報又は変換された情報に基づいて１つ以上の動作を実行すること、及び当該処理の結果として判定を行うことによって、処理回路２１２０によって取得された情報を処理することを含みうる。
【００９３】
デバイス可読媒体２１３０は、コンピュータ・プログラム、ソフトウェア、ロジック、ルール、コード、テーブルなどのうちの１つ以上を含むアプリケーション、及び／又は処理回路２１２０によって実行されることが可能な他の命令を記憶するように動作可能でありうる。デバイス可読媒体２１３０は、コンピュータ・メモリ（例えば、ランダム・アクセス・メモリ（ＲＡＭ）又はリード・オンリ・メモリ（ＲＯＭ））、大容量記憶媒体（例えば、ハードディスク）、取り外し可能記憶媒体（例えば、コンパクト・ディスク（ＣＤ）又はデジタル・ビデオ・ディスク（ＤＶＤ））、及び／又は処理回路２１２０によって使用されうる情報、データ、及び／又は命令を記憶する任意の他の揮発性又は不揮発性の一時的でないデバイス可読及び／又はコンピュータ実行可能メモリ・デバイスを含みうる。いくつかの実施形態で、処理回路２１２０及びデバイス可読媒体２１３０は、統合されているとみなされうる。
【００９４】
ユーザ・インタフェース機器２１３２は、人間のユーザがＷＤ２１１０と対話することを可能にし及び／又は容易にするコンポーネントを含みうる。このような対話は、視覚的、聴覚的、触覚的などの多くの形態でありうる。ユーザ・インタフェース機器２１３２は、ユーザへの出力を生成し、ユーザがＷＤ２１１０に入力を提供することを可能にし及び／又は容易にするように動作可能でありうる。対話のタイプは、ＷＤ２１１０に設置されたユーザ・インタフェース機器２１３２のタイプに応じて変わりうる。例えば、ＷＤ２１１０がスマートフォンであるならば、対話はタッチスクリーンを介することができ、ＷＤ２１１０がスマート・メータであるならば、対話は使用量（例えば、使用されるガロン数）を提供するスクリーン、又は可聴警報（例えば、煙が検出される場合）を提供するスピーカを介しうる。ユーザ・インタフェース機器２１３２は、入力インタフェース、デバイス及び回路、並びに出力インタフェース、デバイス及び回路を含みうる。ユーザ・インタフェース装置２１３２は、ＷＤ２１１０への情報の入力を可能にする及び／又は容易にするように構成されることができ、及び／又は処理回路２１２０に接続されて、処理回路２１２０が入力情報を処理することを可能にする及び／又は容易にする。ユーザ・インタフェース機器２１３２は例えば、マイクロフォン、近接又は他のセンサ、キー／ボタン、タッチ・ディスプレイ、１つ以上のカメラ、ＵＳＢポート、又は他の入力回路を含みうる。ユーザ・インタフェース機器２１３２はまた、ＷＤ２１１０からの情報の出力を可能及び／又は容易にし、処理回路２１２０がＷＤ２１１０からの情報を出力することを可能及び／又は容易にするように構成される。ユーザ・インタフェース機器２１３２は例えば、スピーカ、ディスプレイ、振動回路、ＵＳＢポート、ヘッドホン・インタフェース、又は他の出力回路を含みうる。ユーザ・インタフェース機器２１３２の１つ以上の入出力インタフェース、デバイス、及び回路を使用して、ＷＤ２１１０は、エンド・ユーザ及び／又はワイヤレス・ネットワークと通信でき、本書で説明する機能からの利点をこれらに与えることを可能にでき及び／又は容易にできる。
【００９５】
補助装置２１３４は、ＷＤによって一般に実行されなくてもよいより具体的な機能を提供するように動作可能である。これは、様々な目的のために測定を行うための専用センサ、有線通信などの追加のタイプの通信のためのインタフェースを備えることができる。補助装置２１３４のコンポーネントの包含及びタイプは、実施形態及び／又はシナリオに応じて変わりうる。
【００９６】
電源２１３６は、一部の実施形態で、バッテリ又はバッテリ・パックの形態でありうる。外部電源（例えば、電気コンセント）、光起電デバイス又は電力セルなどの他のタイプの電力源も使用されうる。ＷＤ２１１０は、電源２１３６からの電力を、本書に記載又は示される任意の機能を実行するために電源２１３６からの電力を必要とするＷＤ２１１０の種々の部分に送る電力回路２１３７をさらに備えることができる。電力回路２１３７は、所定の実施形態で電力管理回路を含みうる。電力回路２１３７は追加的又は代替的に、外部電源から電力を受け取るように動作可能であってもよく、その場合、ＷＤ２１１０は、入力回路又は電力ケーブルなどのインタフェースを介して、外部電源（電気コンセントなど）に接続可能であってもよい。電力回路２１３７は、所定の実施形態で、外部電源から電源２１３６へ電力を送るように動作可能であってもよい。これは、例えば、電源２１３６の充電のためでありうる。電力回路２１３７は、ＷＤ２１１０の個別のコンポーネントへの供給に適したものとするために、電源２１３６からの電力に対する任意の変換又は他の修正を実行できる。
【００９７】
図２２は、本書で説明される様々な側面によるＵＥの一実施形態を示す。本書で使用されるように、ユーザ機器すなわちＵＥは、必ずしも、関連するデバイスを所有し及び／又は操作する人間のユーザという意味でユーザを有していなくてもよい。代わりに、ＵＥは、人間のユーザへの販売又は人間のユーザによる操作が意図されているが、特定の人間のユーザに関連付けられていていない、又は最初は関連付けられていなくてもよいデバイス（例えば、スマート・スプリンクラ・コントローラ）を表すことができる。あるいは、ＵＥは、エンド・ユーザへの販売又はエンド・ユーザによる操作を意図されていないが、ユーザのために関連付けられ又は動作されうるデバイス（例えば、スマート電力計）を表すことができる。ＵＥ２２２００は、ＮＢ‐ＩｏＴ  ＵＥ、マシン・タイプ通信（ＭＴＣ）ＵＥ、及び／又は発展型ＭＴＣ（ｅＭＴＣ）ＵＥを含む、第３世代パートナシップ・プロジェクト（３ＧＰＰ）によって識別される任意のＵＥでありうる。ＵＥ２２００は、図２２に示されるように、３ＧＰＰのＧＳＭ、ＵＭＴＳ、ＬＴＥ、及び／又は５Ｇ標準などの、第３世代パートナシップ・プロジェクト（３ＧＰＰ）によって公布される１つ以上の通信標準に従って通信するように構成されるＷＤの一例である。前述のように、ＷＤ及びＵＥという用語は、交換可能に使用されうる。したがって、図２２はＵＥであるが、本書で説明されるコンポーネントはＷＤに等しく適用可能であり、その逆もまた同様である。
【００９８】
図２２において、ＵＥ２２００は、入出力インタフェース２２０５、高周波（ＲＦ）インタフェース２２０９、ネットワーク接続インタフェース２２１１、ランダム・アクセス・メモリ（ＲＡＭ）２２１７、リード・オンリ・メモリ（ＲＯＭ）２２１９、及び記憶媒体２２２１などを含むメモリ２２１５、通信サブシステム２２３１、電源２２３３、及び／又は任意の他のコンポーネント、又はそれらの任意の組合せに動作可能に結合される処理回路２２０１を含む。記憶媒体２２２１は、オペレーティング・システム２２２３、アプリケーション・プログラム２２２５、及びデータ２２２７を含む。他の実施形態で、記憶媒体２２２１が他の同様のタイプの情報を含みうる。所定のＵＥは、図２２に示されるコンポーネントのすべて、又はコンポーネントのサブセットのみを利用できる。コンポーネント間の統合のレベルは、ＵＥごとに変わりうる。さらに、所定のＵＥは、複数のプロセッサ、メモリ、送受信機、送信機、受信機などのコンポーネントの複数のインスタンスを含みうる。
【００９９】
図２２で、処理回路２２０１は、コンピュータ命令及びデータを処理するように構成されうる。処理回路２２０１は、１つ以上のハードウェア実装状態機械（例えば、ディスクリート論理、ＦＰＧＡ、ＡＳＩＣなど）、適切なファームウェアを有するプログラマブル論理、１つ以上の記憶されたプログラム、適切なソフトウェアを伴うマイクロプロセッサ又はデジタル信号プロセッサ（ＤＳＰ）などの汎用プロセッサ、又は上記の任意の組合せなどのような、機械可読コンピュータ・プログラムとしてメモリに記憶された機械命令を実行するように動作する任意の順次状態機械を実装するように構成されうる。例えば、処理回路２２０１は、２つの中央処理ユニット（ＣＰＵ）を含みうる。データは、コンピュータによる使用に適した形態の情報でありうる。
【０１００】
図示の実施形態で、入出力インタフェース２２０５は、入力デバイス、出力デバイス、又は入力及び出力デバイスへの通信インタフェースを提供するように構成されうる。ＵＥ２２００は、入出力インタフェース２２０５を介して出力デバイスを使用するように構成されうる。出力デバイスは、入力デバイスと同じタイプのインタフェース・ポートを使用できる。例えば、ＵＳＢポートを使用して、ＵＥ２２００への入力及びＵＥからの出力を提供できる。出力デバイスは、スピーカ、サウンド・カード、ビデオ・カード、ディスプレイ、モニタ、プリンタ、アクチュエータ、エミッタ、スマートカード、別の出力デバイス、又はそれらの任意の組合せでありうる。ＵＥ２２００は、入出力インタフェース２２０５を介して入力デバイスを使用して、ユーザがＵＥ２２００に情報をキャプチャすることを可能にし及び／又は容易にするように構成されうる。入力デバイスはタッチ・センシティブ又はプレゼンス・センシティブ・ディスプレイ、カメラ（例えば、デジタル・カメラ、デジタル・ビデオ・カメラ、ウェブ・カメラなど）、マイクロフォン、センサ、マウス、トラックボール、方向パッド、トラックパッド、スクロール・ホイール、スマートカードなどを含みうる。プレゼンス・センシティブ・ディスプレイは、ユーザからの入力を感知するために、容量性又は抵抗性タッチセンサを含みうる。センサは例えば、加速度計、ジャイロスコープ、傾斜センサ、力センサ、磁力計、光学センサ、近接センサ、別の同様のセンサ、又はそれらの任意の組合せでありうる。例えば、入力デバイスは、加速度計、磁力計、デジタル・カメラ、マイクロフォン、及び光センサでありうる。
【０１０１】
図２２で、ＲＦインタフェース２２０９は、送信機、受信機、及びアンテナなどのＲＦコンポーネントに通信インタフェースを提供するように構成されうる。ネットワーク接続インタフェース２２１１は、ネットワーク２２４３ａへの通信インタフェースを提供するように構成されうる。ネットワーク２２４３ａは、ローカル・エリア・ネットワーク（ＬＡＮ）、ワイド・エリア・ネットワーク（ＷＡＮ）、コンピュータ・ネットワーク、ワイヤレス・ネットワーク、電気通信ネットワーク、他のネットワーク又はそれらの組み合わせのような有線及び／又はワイヤレス・ネットワークを含みうる。例えば、ネットワーク２２４３ａは、Ｗｉ‐Ｆｉネットワークを備えうる。ネットワーク接続インタフェース２２１１は、イーサネット、ＴＣＰ／ＩＰ、ＳＯＮＥＴ、ＡＴＭなどの１つ以上の通信プロトコルに従って、通信ネットワークを介して１つ以上の他のデバイスと通信するために使用される受信機及び送信機インタフェースを含むように構成されうる。ネットワーク接続インタフェース２２１１は、通信ネットワーク・リンク（例えば、光、電気など）に適した受信機及び送信機機能を実施できる。送信機機能及び受信機機能は回路コンポーネント、ソフトウェア、又はファームウェアを共有することができ、あるいは、別々に実施されうる。
【０１０２】
ＲＡＭ２２１７は、オペレーティング・システム、アプリケーション・プログラム、及びデバイス・ドライバなどのソフトウェア・プログラムの実行中にデータ又はコンピュータ命令の記憶又はキャッシュを提供するために、バス２２０２を介して処理回路２２０１にインタフェースするように構成されうる。ＲＯＭ２２１９は、コンピュータ命令又はデータを処理回路２２０１に提供するように構成されうる。例えば、ＲＯＭ２２１９は、基本入出力（Ｉ／Ｏ）、スタートアップ、又は不揮発性メモリに記憶されたキーボードからのキーストロークの受信のような基本的なシステム機能のための不変の低レベル・システム・コード又はデータを記憶するように構成されうる。記憶媒体２２２１は、ＲＡＭ、ＲＯＭ、プログラマブル・リード・オンリ・メモリ、消去可能プログラマブル・リード・オンリ・メモリ、電気的消去可能プログラマブル・リード・オンリ・メモリ、磁気ディスク、光ディスク、フロッピー・ディスク、ハードディスク、リムーバブル・カートリッジ、又はフラッシュ・ドライブなどのメモリを含むように構成されうる。一例で、記憶媒体２２２１は、オペレーティング・システム２２２３、ウェブ・ブラウザ・アプリケーション、ウィジェット又はガジェット・エンジン又は別のアプリケーションなどのアプリケーション・プログラム２２２５、及びデータ・ファイル２２２７を含むように構成されうる。記憶媒体２２２１は、ＵＥ２２００によって使用するために、様々なオペレーティング・システムのうちの任意のもの、又はオペレーティング・システムの組合せを記憶できる。
【０１０３】
記憶媒体２２２１は、独立ディスクの冗長アレイ（ＲＡＩＤ）、フロッピー・ディスク・ドライブ、フラッシュ・メモリ、ＵＳＢフラッシュ・ドライブ、外部ハードディスク・ドライブ、サム・ドライブ、ペン・ドライブ、キー・ドライブ、高密度デジタル多用途ディスク（ＨＤ‐ＤＶＤ）光ディスク・ドライブ、内部ハードディスク・ドライブ、ブルーレイ光ディスク・ドライブ、ホログラフィック・デジタル・データ・ストレージ（ＨＤＤＳ）光ディスク・ドライブ、外部ミニデュアル・インライン・メモリ・モジュール（ＤＩＭＭ）、同期ダイナミック・ランダム・アクセス・メモリ（ＳＤＲＡＭ）、外部マイクロＤＩＭＭ  ＳＤＲＡＭ、加入者識別モジュール又は取り外し可能ユーザ識別（ＳＩＭ／ＲＵＩＭ）モジュールなどのスマートカード・メモリ、他のメモリ、又はそれらの任意の組合せなど、複数の物理ドライブ・ユニット含むように構成されうる。記憶媒体２２２１は、ＵＥ２２００が一時的又は非一時的なメモリ媒体に記憶されたコンピュータ実行可能な命令、アプリケーション・プログラムなどにアクセスしたり、データをオフロードしたり、データをアップロードしたりすることを可能及び／又は容易にできる。通信システムを利用するもののような製品は、デバイス可読媒体を備えることができる記憶媒体２２２１において有形に具現化されうる。
【０１０４】
図２２で、処理回路２２０１は、通信サブシステム２２３１を使用してネットワーク２２４３ｂと通信するように構成されうる。ネットワーク２２４３ａ及びネットワーク２２４３ｂは、同じネットワーク若しくは複数のネットワーク、又は異なるネットワーク若しくは複数のネットワークであってもよい。通信サブシステム２２３１は、ネットワーク２２４３ｂと通信するために使用される１つ以上の送受信機を含むように構成されうる。例えば、通信サブシステム２２３１は、ＩＥＥＥ８０２．２２、ＣＤＭＡ、ＷＣＤＭＡ、ＧＳＭ、ＬＴＥ、ＵＴＲＡＮ、ＷｉＭａｘなどの１つ以上の通信プロトコルに従って、無線アクセス・ネットワーク（ＲＡＮ）の別のＷＤ、ＵＥ、又は基地局などのワイヤレス通信が可能な別のデバイスの１つ以上のリモート送受信機と通信するために使用される１つ以上の送受信機を含むように構成されうる。各送受信機は、ＲＡＮリンク（例えば、周波数割り当てなど）に適切な送信機又は受信機機能をそれぞれ実施するために、送信機２２３３及び／又は受信機２２３５を含みうる。さらに、各送受信機の送信機２２３３及び受信機２２３５は、回路コンポーネント、ソフトウェア、又はファームウェアを共有することができ、あるいは別々に実施されうる。
【０１０５】
説明される実施形態で、通信サブシステム２２３１の通信機能は、データ通信、音声通信、マルチメディア通信、ブルートゥースなどの短距離通信、近距離通信、位置を決定するための全地球測位システム（ＧＰＳ）の使用などの位置ベース通信、別の同様の通信機能、又はそれらの任意の組合せを含みうる。例えば、通信サブシステム２２３１は、セルラ通信、Ｗｉ‐Ｆｉ通信、ブルートゥース通信、及びＧＰＳ通信を含みうる。ネットワーク２２４３ｂは、ローカル・エリア・ネットワーク（ＬＡＮ）、ワイド・エリア・ネットワーク（ＷＡＮ）、コンピュータ・ネットワーク、ワイヤレス・ネットワーク、電気通信ネットワーク、別の同様のネットワーク又はそれらの任意の組合せなどの有線及び／又はワイヤレス・ネットワークを含みうる。例えば、ネットワーク２２４３ｂは、セルラ・ネットワーク、Ｗｉ‐Ｆｉネットワーク、及び／又は近距離ネットワークでありうる。電源２２１３は、ＵＥ２２００のコンポーネントに交流（ＡＣ）又は直流（ＤＣ）電力を供給するように構成されうる。
【０１０６】
本書で説明される特徴、利点、及び／又は機能はＵＥ２２００のコンポーネントのうちの１つで実施されることができ、又はＵＥ２２００の複数のコンポーネントにわたって区分されることができる。さらに、本書で説明される特徴、利点、及び／又は機能は、ハードウェア、ソフトウェア、又はファームウェアの任意の組合せで実施されうる。一例で、通信サブシステム２２３１は、本書で説明されるコンポーネントのいずれかを含むように構成されうる。さらに、処理回路２２０１は、バス２２０２を介してそのようなコンポーネントのいずれかと通信するように構成されうる。別の例で、そのようなコンポーネントのいずれも、処理回路２２０１によって実行されると、本書で説明される対応する機能を実行する、メモリに記憶されたプログラム命令によって表されうる。別の例で、そのようなコンポーネントのいずれかの機能は、処理回路２２０１と通信サブシステム２２３１との間で区分されうる。別の例で、このようなコンポーネントのいずれかの非計算集約的機能はソフトウェア又はファームウェアで実施されることができ、計算集約的機能はハードウェアで実施されうる。
【０１０７】
図２３は、いくつかの実施形態によって実施される機能が仮想化されうる仮想化環境２３００を説明する概略ブロック図である。本文脈において、仮想化は、ハードウェア・プラットフォーム、記憶デバイス及びネットワーク・リソースを仮想化することを含みうる装置又はデバイスの仮想化バージョンを作成することを意味する。本書で使用されるように、仮想化は、ノード（例えば、仮想化された基地局又は仮想化された無線アクセス・ノード）又はデバイス（例えば、ＵＥ、ワイヤレス・デバイス、又は任意の他のタイプの通信デバイス）又はそれらのコンポーネントに適用されることができ、機能の少なくとも一部が１つ以上の仮想コンポーネントとして（例えば、１つ以上のネットワーク内の１つ以上の物理処理ノード上で実行される１つ以上のアプリケーション、コンポーネント、機能、仮想マシン、又はコンテナを介して）実施される実施形態に関係する。
【０１０８】
いくつかの実施形態において、本書に記載される機能の一部又は全部は、１つ以上のハードウェア・ノード２３３０によってホストされる１つ以上の仮想環境２３００内に実施される１つ以上の仮想マシンによって実行される仮想コンポーネントとして実施されうる。さらに、仮想ノードが無線アクセス・ノードでないか、無線接続を必要としない実施形態（例えば、コア・ネットワーク・ノード）で、ネットワーク・ノードは完全に仮想化されうる。
【０１０９】
機能は、本書で開示される実施形態のいくつかの特徴、機能、及び／又は利益のいくつかを実施するように動作可能な１つ以上のアプリケーション２３２０（代替として、ソフトウェア・インスタンス、仮想アプライアンス、ネットワーク機能、仮想ノード、仮想ネットワーク機能などと呼ばれうる）によって実施されうる。アプリケーション２３２０は、処理回路２３６０及びメモリ２３９０を備えるハードウェア２３３０を提供する仮想化環境２３００において実行される。メモリ２３９０は、処理回路２３６０によって実行可能な命令２３９５を含み、それによって、アプリケーション２３２０は、本書で開示される特徴、利点、及び／又は機能のうちの１つ以上を提供するように動作可能である。
【０１１０】
仮想化環境２３００は、市販の既製（ＣＯＴＳ）プロセッサ、専用の特定用途向け集積回路（ＡＳＩＣ）、又はデジタル又はアナログのハードウェア・コンポーネント又は専用プロセッサを含む任意の他のタイプの処理回路でありうる、１つ以上のプロセッサ又は処理回路２３６０の集合を備える汎用又は専用のネットワーク・ハードウェア・デバイス２３３０を備える。各ハードウェア・デバイスは、処理回路２３６０によって実行される命令２３９５又はソフトウェアを一時的に記憶するための非永続的メモリでありうるメモリ２３９０‐１を備えることができる。各ハードウェア・デバイスは、物理ネットワーク・インタフェース２３８０を含むネットワーク・インタフェース・カードとも呼ばれる１つ以上のネットワーク・インタフェース・コントローラ（ＮＩＣ）２３７０を備えることができる。各ハードウェア・デバイスはまた、処理回路２３６０によって実行可能なソフトウェア２３９５及び／又は命令を記憶した、非一時的で永続的な機械可読記憶媒体２３９０‐２を含みうる。ソフトウェア２３９５は、１つ以上の仮想化レイヤ２３５０（ハイパーバイザとも呼ばれる）をインスタンス化するためのソフトウェア、仮想マシン２３４０を実行するためのソフトウェア、並びに本書に記載するいくつかの実施形態に関連して記載される機能、特徴、及び／又は利点を実行することを可能にするソフトウェアを含む任意のタイプのソフトウェアを含みうる。
【０１１１】
仮想マシン２３４０は、仮想処理、仮想メモリ、仮想ネットワーキング又はインタフェース及び仮想記憶装置を含み、対応する仮想化レイヤ２３５０又はハイパーバイザによって実行されうる。仮想アプライアンス２３２０のインスタンスの様々な実施形態は仮想マシン２３４０の１つ以上で実施されることができ、実施は異なる方法で行うことができる。
【０１１２】
動作中、処理回路２３６０は、仮想マシン・モニタ（ＶＭＭ）と呼ばれることもあるハイパーバイザ又は仮想化レイヤ２３５０をインスタンス化するためにソフトウェア２３９５を実行する。仮想化レイヤ２３５０は、ネットワーキング・ハードウェアのように見える仮想オペレーティング・プラットフォームを仮想マシン２３４０に提示できる。
【０１１３】
図２３に示すように、ハードウェア２３３０は、汎用又は専用のコンポーネントを有するスタンドアロン・ネットワーク・ノードでありうる。ハードウェア２３３０はアンテナ２３２２５を備えることができ、仮想化を介していくつかの機能を実施できる。あるいは、ハードウェア２３３０は、多くのハードウェア・ノードが協調して動作し、特にアプリケーション２３２０のライフサイクル管理を監督する管理及びオーケストレーション（ＭＡＮＯ）２３１００を介して管理される、（例えば、データ・センタや顧客構内機器（ＣＰＥ）内などの）より大きなハードウェアのクラスタの一部でありうる。
【０１１４】
ハードウェアの仮想化は、ネットワーク機能仮想化（ＮＦＶ）と呼ばれるいくつかの文脈で行われる。ＮＦＶは、多くのネットワーク機器タイプを、業界標準の大容量サーバ・ハードウェア、物理スイッチ、及びデータ・センタに配置できる物理記憶装置、並びに顧客構内機器に統合するために使用されうる。
【０１１５】
ＮＦＶの文脈で、仮想マシン２３４０は、あたかも物理的な仮想化されていないマシン上で実行されているかのようにプログラムを実行する物理マシンのソフトウェア実装でありうる。仮想マシン２３４０の各々、及びその仮想マシンを実行するハードウェア２３３０のその部分は、当該仮想マシンに専用のハードウェアであり、及び／又は、当該仮想マシンによって仮想マシン２３４０の他のものと共有されるハードウェアであり、別個の仮想ネットワーク要素（ＶＮＥ）を形成する。
【０１１６】
さらに、ＮＦＶの文脈で、仮想ネットワーク機能（ＶＮＦ）は、ハードウェア・ネットワーキング・インフラストラクチャ２３３０の上の１つ以上の仮想マシン２３４０で実行され、図２３のアプリケーション２３２０に対応する特定のネットワーク機能を処理する責任を負う。
【０１１７】
いくつかの実施形態で、それぞれが１つ以上の送信機２３２２０及び１つ以上の受信機２３２１０を含む１つ以上の無線ユニット２３２００は、１つ以上のアンテナ２３２２５に結合されうる。無線ユニット２３２００は、１つ以上の適切なネットワーク・インタフェースを介してハードウェア・ノード２３３０と直接通信することができ、仮想コンポーネントと組み合わせて使用して、無線アクセス・ノードや基地局などの無線機能を仮想ノードに提供できる。
【０１１８】
いくつかの実施形態で、何らかのシグナリングが、ハードウェア・ノード２３３０と無線ユニット２３２００との間の通信のために代替的に使用されうる制御システム２３２３０を使用して達成されうる。
【０１１９】
図２４を参照すると、実施形態に従って、通信システムは、無線アクセス・ネットワークなどのアクセス・ネットワーク２４１１とコア・ネットワーク２４１４とを含む３ＧＰＰタイプのセルラ・ネットワークなどの電気通信ネットワーク２４１０を含む。アクセス・ネットワーク２４１１は、複数の基地局２４１２ａ、２４１２ｂ、２４１２ｃ、例えば、ＮＢ、ｅＮＢ、ｇＮＢ、又は他のタイプのワイヤレス・アクセス・ポイントを備え、各々が対応するカバレッジ・エリア２４１３ａ、２４１３ｂ、２４１３ｃを規定する。各基地局２４１２ａ、２４１２ｂ、２４１２ｃは、有線又はワイヤレス接続２４１５を介してコア・ネットワーク２４１４に接続可能である。カバレッジ・エリア２４１３ｃに位置する第１のＵＥ２４９１は、対応する基地局２４１２ｃに無線接続するように、又はページングされるように構成されうる。カバレッジ・エリア２４１３ａ内の第２のＵＥ２４９２は、対応する基地局２４１２ａに無線で接続可能である。この例で複数のＵＥ２４９１、２４９２が示されているが、開示された実施形態は、単一のＵＥがカバレッジ・エリア内にある状況、又は単一のＵＥが対応する基地局２４１２に接続している状況にも等しく適用可能である。
【０１２０】
電気通信ネットワーク２４１０はそれ自体がホスト・コンピュータ２４３０に接続されており、これは、スタンドアロン・サーバ、クラウド実施サーバ、分散サーバ、又はサーバ・ファーム内の処理リソースのハードウェア及び／又はソフトウェアで実施されうる。ホスト・コンピュータ２４３０はサービス・プロバイダの所有権又は制御下に置くことができ、あるいはサービス・プロバイダによって、又はサービス・プロバイダのために動作されうる。電気通信ネットワーク２４１０とホスト・コンピュータ２４３０との間の接続２４２１及び２４２２は、コア・ネットワーク２４１４からホスト・コンピュータ２４３０に直接延長することができ、あるいはオプションの中間ネットワーク２４２０を介して延びることができる。中間ネットワーク２４２０は、パブリック、プライベート又はホストされたネットワークのうちの１つ以上の組合せであってもよく、中間ネットワーク２４２０はもしあれば、バックボーン・ネットワーク又はインターネットであってもよく、特に、中間ネットワーク２４２０は、２つ以上のサブ・ネットワーク（図示せず）を備えてもよい。
【０１２１】
図２４の通信システム全体は、接続されたＵＥ２４９１、２４９２とホスト・コンピュータ２４３０との間のコネクティビティを可能にする。コネクティビティは、オーバ・ザ・トップ（ＯＴＴ）接続２４５０として説明されうる。ホスト・コンピュータ２４３０及び接続されたＵＥ２４９１、２４９２は、アクセス・ネットワーク２４１１、コア・ネットワーク２４１４、任意の中間ネットワーク２４２０、及び可能なさらなるインフラストラクチャ（図示せず）を媒介として使用して、ＯＴＴ接続２４５０を介してデータ及び／又はシグナリングを通信するように構成される。ＯＴＴ接続２４５０は、ＯＴＴ接続２４５０が通過する参加通信装置がアップリンク通信及びダウンリンク通信のルーティングに気付かないという意味で、透過的でありうる。例えば、基地局２４１２は、接続されたＵＥ２４９１へ転送（例えば、ハンドオーバ）されるホスト・コンピュータ２４３０から発信されたデータを有する着信ダウンリンク通信の過去のルーティングについて通知されなくてもよいし、通知される必要がない。同様に、基地局２４１２は、ＵＥ２４９１からホスト・コンピュータ２４３０に向けて発信される発信アップリンク通信の将来のルーティングを認識する必要はない。
【０１２２】
先の段落で説明されたＵＥ、基地局、及びホスト・コンピュータの実施例に従う例示の実装が図２５を参照して説明される。通信システム２５００において、ホスト・コンピュータ２５１０は、通信システム２５００の異なる通信デバイスのインタフェースとの有線又はワイヤレス接続をセットアップし維持するように構成された通信インタフェース２５１６を含むハードウェア２５１５を含む。ホスト・コンピュータ２５１０は、記憶及び／又は処理能力を有しうる処理回路２５１８をさらに備える。特に、処理回路２５１８は、命令を実行するように適合された１つ以上のプログラマブル・プロセッサ、特定用途向け集積回路、フィールド・プログラマブル・ゲート・アレイ、又はこれらの組み合わせ（図示せず）を備えることができる。ホスト・コンピュータ２５１０は、さらにソフトウェア２５１１を備え、これは、ホスト・コンピュータ２５１０によって記憶され、又はアクセス可能であり、処理回路２５１８によって実行可能である。ソフトウェア２５１１は、ホスト・アプリケーション２５１２を含む。ホスト・アプリケーション２５１２は、ＵＥ２５３０及びホスト・コンピュータ２５１０で終端するＯＴＴ接続２５５０を介して接続するＵＥ２５３０のような、リモート・ユーザにサービスを提供するように動作可能である。サービスをリモート・ユーザに提供する際に、ホスト・アプリケーション２５１２は、ＯＴＴ接続２５５０を使用して送信されるユーザ・データを提供できる。
【０１２３】
通信システム２５００はまた、電気通信システムに設けられ、ホスト・コンピュータ２５１０及びＵＥ２５３０と通信することを可能にするハードウェア２５２５を含む基地局２５２０を含みうる。ハードウェア２５２５は、通信システム２５００の異なる通信デバイスのインタフェースとの有線又はワイヤレス接続をセットアップ及び維持するための通信インタフェース２５２６と、基地局２５２０によってサービスされるカバレッジ・エリア（図２５に示されていない）に配置されたＵＥ２５３０との少なくともワイヤレス接続２５７０をセットアップ及び維持するための無線インタフェース２５２７とを含みうる。通信インタフェース２５２６は、ホスト・コンピュータ２５１０への接続２５６０を容易にするように構成されうる。接続２５６０は直接的であってもよいし、電気通信システムのコア・ネットワーク（図２５には示されていない）及び／又は電気通信システムの外部の１つ以上の中間ネットワークを通過してもよい。図示の実施形態で、基地局２５２０のハードウェア２５２５は、命令を実行するように適合された１つ以上のプログラマブル・プロセッサ、特定用途向け集積回路、フィールド・プログラマブル・ゲート・アレイ又はこれらの組み合わせ（図示せず）を含みうる処理回路２５２８も含みうる。基地局２５２０はさらに、内部に記憶された、又は外部接続を介してアクセス可能なソフトウェア２５２１を有する。
【０１２４】
通信システム２５００はまた、既に参照されたＵＥ２５３０を含みうる。そのハードウェア２５３５は、ＵＥ２５３０が現在配置されているカバレッジ・エリアにサービスする基地局とのワイヤレス接続２５７０をセットアップし維持するように構成された無線インタフェース２５３７を含みうる。ＵＥ２５３０のハードウェア２５３５はまた、処理回路２５３８を含んでもよく、これは、１つ以上のプログラマブル・プロセッサ、特定用途向け集積回路、フィールド・プログラマブル・ゲート・アレイ、又は命令を実行するように適合されたこれら（図示せず）の組み合わせを含んでもよい。ＵＥ２５３０はさらにソフトウェア２５３１を備え、それはＵＥ２５３０に記憶され、又はアクセス可能であり、処理回路２５３８によって実行可能である。ソフトウェア２５３１は、クライアント・アプリケーション２５３２を含む。クライアント・アプリケーション２５３２は、ホスト・コンピュータ２５１０のサポートにより、ＵＥ２５３０を介して人間又は非人間のユーザにサービスを提供するように動作可能である。ホスト・コンピュータ２５１０において、実行中のホスト・アプリケーション２５１２は、ＵＥ２５３０及びホスト・コンピュータ２５１０で終端するＯＴＴ接続２５５０を介して、実行中のクライアント・アプリケーション２５３２と通信できる。ユーザにサービスを提供する際に、クライアント・アプリケーション２５３２は、ホスト・アプリケーション２５１２から要求データを受信し、要求データに応じてユーザ・データを提供できる。ＯＴＴ接続２５５０は、要求データとユーザ・データの両方を転送できる。クライアント・アプリケーション２５３２は、ユーザと対話して、それが提供するユーザ・データを生成できる。
【０１２５】
図２５に説明されるホスト・コンピュータ２５１０、基地局２５２０、及びＵＥ２５３０は、それぞれ、図２４のホスト・コンピュータ２４３０、基地局２４１２ａ、２４１２ｂ、２４１２ｃのうちの１つ、及びＵＥ２４９１、２４９２のうちの１つと同様又は同一でありうることに留意されたい。すなわち、これらのエンティティの内部動作は図２５に示すようであってもよく、独立して、周囲のネットワーク・トポロジは、図２４のものであってもよい。
【０１２６】
図２５で、ＯＴＴ接続２５５０を抽象的に描いて、基地局２５２０を介したホスト・コンピュータ２５１０とＵＥ２５３０との間の通信を示しているが、いかなる中間デバイスも明示的に参照せず、これらのデバイスを介したメッセージの正確なルーティングも示していない。ネットワーク・インフラストラクチャはルーティングを決定することができ、これは、ＵＥ２５３０から、又はホスト・コンピュータ２５１０を動作するサービス・プロバイダから、あるいはその両方から隠すように構成されうる。ＯＴＴ接続２５５０がアクティブである間、ネットワーク・インフラストラクチャは、ルーティングを動的に（例えば、負荷分散の考慮又はネットワークの再構成に基づいて）変更する決定をさらに行うことができる。
【０１２７】
ＵＥ２５３０と基地局２５２０との間のワイヤレス接続２５７０は、本開示全体にわたって説明される実施形態の教示に従う。様々な実施形態のうちの１つ以上は、ワイヤレス接続２５７０が最後のセグメントを形成するＯＴＴ接続２５５０を使用して、ＵＥ２５３０に提供されるＯＴＴサービスの性能を改善する。より正確には、本書で開示される例示的な実施形態は、Ｆ１‐ＡＰ及びＲＲＣプロトコルを強化することによって、適切な経路（すなわち、次のＩＡＢノード又は宛先ＵＥ）への着信パケットの適切なルーティング、並びに当該経路内の適切なベアラへのマッピングを可能にする。本書に記載する技術は既存のＲＲＣ及びＦ１‐ＡＰプロトコル、又は既存の手順を利用して、適切な経路（すなわち、次のノード）へパケットをルーティングすることと、それらを正しい経路内の適切なベアラにマッピングすることとに必要な適合レイヤのセットアップ及び再構成を実現する。これら及び他の利点は、５Ｇ／ＮＲソリューションのよりタイムリーな設計、実施、及び展開を容易にできる。さらに、そのような実施形態は、データ・セッションＱｏＳの柔軟かつタイムリーな制御を容易にすることができ、これは、５Ｇ／ＮＲによって想定され、ＯＴＴサービスの成長にとって重要な容量、スループット、レイテンシなどの改善につながりうる。
【０１２８】
１つ以上の実施形態が改善するデータ速度、レンテンシ、及び他のネットワーク動作側面を監視する目的で、測定手順を提供できる。さらに、測定結果の変動に応じて、ホスト・コンピュータ２５１０とＵＥ２５３０との間のＯＴＴ接続２５５０を再構成するためのオプションのネットワーク機能が存在しうる。ＯＴＴ接続２５５０を再構成するための測定手順及び／又はネットワーク機能は、ホスト・コンピュータ２５１０のソフトウェア２５１１及びハードウェア２５１５、又はＵＥ２５３０のソフトウェア２５３１及びハードウェア２５３５、あるいはその両方で実現できる。実施形態で、ＯＴＴ接続２５５０が通過する通信デバイス内に、又はそれに関連してセンサ（図示せず）が配置されうる。センサは上記で例示された監視量の値を供給することによって、又はソフトウェア２５１１、２５３１が監視量を計算又は推定できる他の物理量の値を供給することによって、測定手順に参加できる。ＯＴＴ接続２５５０の再構成は、メッセージ・フォーマット、再送信設定、好ましいルーティングなどを含むことができ、再構成は、基地局２５２０に影響を及ぼす必要はなく、基地局２５２０には知られていないか、又は知覚できないことがある。このような手順及び機能は当技術分野で既知であり、実施されうる。所定の実施形態で、測定は、スループット、伝搬時間、レイテンシなどのホスト・コンピュータ２５１０による測定を容易にする独自のＵＥシグナリングを含みうる。測定は、ソフトウェア２５１１及び２５３１が伝搬時間、エラーなどを監視しながら、ＯＴＴ接続２５５０を使用して、メッセージ、特に空又は「ダミー」メッセージを送信させることによって実施されうる。
【０１２９】
いくつかの例示的な実施形態で、図２５の基地局２５２０は、図１及び図２に反映されるような５Ｇの分散アーキテクチャを備える。例えば、以下の図２６は、中央ユニット２６１０（例えば、ｇＮＢ‐ＣＵ）及び少なくとも１つの分散ユニット２６３０（例えば、ｇＮＢ‐ＤＵ）を有する基地局２５２０を示す。
【０１３０】
基地局２５２０は、いくつかの例示的な実施形態で中央ユニット２６１０と各分散ユニット２６３０との間にＦ１インタフェースが規定されたドナーｇＮＢであってもよく、ドナーｇＮＢの分散ユニット２６３０を通じて中央ユニットと通信する中継ノードにおいて適合レイヤを構成するように適合される。中央ユニット２６１０は、ＲＲＣシグナリングを使用して、ドナー基地局の分散ユニットを介して中継ノードのＭＴ部との接続を確立し、接続を確立した後に、中継ノードのＭＴ部についてプロトコル・スタック内に適合レイヤを構成するように中継ノードのＭＴ部とのシグナリングするように構成された処理回路を有することができ、適合レイヤは、中継ノードに接続された１つ以上のＵＥ又は１つ以上のさらなる中継ノードに着信パケットをルーティングし、当該着信パケットをベアラにマッピングすることを提供する。処理回路は、ドナー基地局の分散ユニットにおいて適合レイヤを構成するようにさらに構成されてもよく、ドナー基地局の分散ユニットにおける適合レイヤは、ドナー基地局の下流にある１つ以上の中継ノードのうちの適切な中継ノードに着信パケットをルーティングするように構成される。
【０１３１】
図２７は、中央ユニット２６１０の例示的な実施形態を示す。中央ユニット２６１０は、ドナーｇＮＢなどの基地局の一部であってもよい。中央ユニット２６１０（例えば、ｇＮＢ‐ＣＵ）は無線アクセス・ポイント、又は分散ユニット（例えば、ｇＮＢ‐ＤＵ）に接続され、制御してもよい。中央ユニット２６１０は、無線アクセス・ポイント（例えば、ｇＮＢ‐ＤＵ２６３０）及びコア・ネットワーク（例えば、５ＧＣ）内の他の機器と通信するための通信回路２６１８を含んでもよい。
【０１３２】
中央ユニット２６１０は、通信回路２６１８と動作可能に関連する処理回路２６１２を含んでもよい。例示的な実施形態で、処理回路２６１２は、１つ以上のデジタル・プロセッサ２６１４、例えば、１つ以上のマイクロプロセッサ、マイクロコントローラ、デジタル信号プロセッサ（ＤＳＰ）、フィールド・プログラマブル・ゲート・アレイ（ＦＰＧＡ）、コンプレックス・プログラマブル・ロジック・デバイス（ＣＰＬＤ）、特定用途向け集積回路（ＡＳＩＣ）、又はそれらの任意の混合を備える。より一般的に、処理回路２６１２は、固定回路、又は本書で教示する機能を実施するプログラム命令の実行を介して特別に構成されるプログラマブル回路を備えてもよい。
【０１３３】
処理回路２６１２はまた、記憶装置２６１６を含むか、又はそれに関連する。記憶装置２６１６は、ある実施形態で、１つ以上のコンピュータ・プログラムと、オプションで構成データとを記憶する。記憶装置２６１６は、コンピュータ・プログラムのための非一時的記憶を提供し、ディスク記憶装置、ソリッド・ステート・メモリ記憶装置、又はそれらの任意の混合などの１つ以上のタイプのコンピュータ可読媒体を備えてもよい。非限定的な例として、記憶装置２６１６は、ＳＲＡＭ、ＤＲＡＭ、ＥＥＰＲＯＭ、及びフラッシュ・メモリのうちの任意の１つ以上を備える。
【０１３４】
一般に、記憶装置２６１６は、コンピュータ・プログラムの非一時的記憶と、基地局によって使用される任意の構成データとを提供する、１つ以上のタイプのコンピュータ可読記憶媒体を含む。ここで、「非一時的」は、永続的、半永続的、又は少なくとも一時的に永続的な記憶を意味し、不揮発性メモリ内の長期記憶装置と、例えば、プログラムのためのワーキング・メモリ内の記憶装置との両方を包含する。
【０１３５】
いくつかの実施形態で、処理回路２６１２は、以下に詳細に説明される図３５に示される方法を実行するように構成される。
【０１３６】
先に説明したように、ｇＮＢ‐ＣＵは、複数のエンティティに分離されてもよい。これは、ユーザ・プレーンにサービスし、ＰＤＣＰプロトコルをホストするｇＮＢ‐ＣＵ‐ＵＰと、制御プレーンにサービスし、ＰＤＣＰ及びＲＲＣプロトコルをホストする１つのｇＮＢ‐ＣＵ‐ＣＰとを含む。これらの２つのエンティティは、制御プレーン２６２２及び第１及び第２の（ユーザ・プレーン）制御ユニット２６２４及び２６２６として、図２８において個別の制御ユニットとして示される。制御プレーン２６２２及び制御ユニット２６２４、２６２６は、図２のＣＵ‐ＣＰ及びＣＵ‐ＵＰと同等であってもよい。図２６は中央ユニット２６１０内の制御プレーン２６２２及び制御ユニット２６２４、２６２６の両方を示すが、ネットワーク・ノードの同じユニットとともに配置されている場合のように、他の実施形態で、制御ユニット２６２４、２６２６は制御プレーン２６２２が存在するユニットの外側に、又は別のネットワーク・ノード内にさえ配置されてもよい。正確な配置に関係なく、処理回路２６１２は、処理回路２６１２が１つのユニット内に一緒にあるかどうか、又は処理回路２６１２が何らかの方法で分散されているかどうかにかかわらず、中央ユニット２６１０について本書で説明される技術を実行するために必要な１つ以上のネットワーク・ノード内の処理回路であるとみなされてもよい。
【０１３７】
図２９は、ＩＡＢ／中継ノード２９００の例示的な実施形態を示す。ＩＡＢ／中継ノード２９００は、ドナーｇＮＢとＵＥ又は他のＩＡＢとの間の通信を中継するように構成されてもよい。ＩＡＢ／中継ノード２９００は、ＵＥ又は他のＩＡＢＳに面して、これらの要素に基地局として見えるための無線回路２９１２を含んでもよい。この無線回路２９１２は、分散ユニット２９１０の一部とみなされてもよい。また、ＩＡＢ／中継ノード２９００は、ドナーｇＮＢに面するための無線回路２９２２を含む、モバイル端末（ＭＴ）部分２９２０を含んでもよい。ドナーｇＮＢは、分散ユニット２９１０に対応する中央ユニット２６１０を収容してもよい。
【０１３８】
ＩＡＢ／中継ノード２９００は、無線回路２９１２、２９２２と動作可能に関連するか、又はこれを制御する処理回路２９３０を含んでもよい。例示的な実施形態で、処理回路２９３０は、１つ以上のデジタル・プロセッサ、例えば、１つ以上のマイクロプロセッサ、マイクロコントローラ、デジタル信号プロセッサ（ＤＳＰ）、フィールド・プログラマブル・ゲート・アレイ（ＦＰＧＡ）、コンプレックス・プログラマブル・ロジック・デバイス（ＣＰＬＤ）、特定用途向け集積回路（ＡＳＩＣ）、又はそれらの任意の混合を備える。より一般的に、処理回路２９３０は、固定回路、又は本書で教示する機能を実施するプログラム命令の実行を介して特別に構成されるプログラマブル回路を備えてもよい。
【０１３９】
処理回路２９３０はまた、記憶装置を含むか、又は記憶装置に関連付けられる。記憶装置は、ある実施形態で、１つ以上のコンピュータ・プログラムと、オプションで構成データとを記憶する。記憶装置は、コンピュータ・プログラムのための非一時的記憶を提供し、ディスク記憶装置、ソリッド・ステート・メモリ記憶装置、又はそれらの任意の混合などの１つ以上のタイプのコンピュータ可読媒体を備えてもよい。非限定的な例として、記憶装置は、ＳＲＡＭ、ＤＲＡＭ、ＥＥＰＲＯＭ、及びフラッシュ・メモリのうちの任意の１つ以上を備える。
【０１４０】
一般に、記憶装置は、基地局によって使用されるコンピュータ・プログラムと任意の構成データとの非一時的記憶を提供する１つ以上のタイプのコンピュータ可読記憶媒体を含む。ここで、「非一時的」は、永続的、半永続的、又は少なくとも一時的に永続的な記憶を意味し、不揮発性メモリ内の長期記憶と、例えば、プログラムのためのワーキング・メモリ内の記憶との両方を包含する。
【０１４１】
いくつかの実施形態によれば、ドナー基地局の分散ユニットを介してドナー基地局（例えば、ｇＮＢ）の中央ユニット２６１０と通信するように適合される、ＩＡＢ／中継ノード２９００の処理回路２９３０であって、ドナー基地局が中央ユニット及び１つ以上の分散ユニットを備え、中央ユニット２６１０と分散ユニットのそれぞれとの間でＦ１インタフェースが規定される、処理回路２９３０は、適合レイヤを構成するように構成される。処理回路２９３０は、ドナー基地局に接続し、接続を確立した後に、中継ノードのＭＴ部についてプロトコル・スタック内に適合レイヤを構成するように構成され、適合レイヤは、ＩＡＢ／中継ノード２９００に接続された１つ以上のＵＥ又は１つ以上のさらなる中継ノードへの着信パケットのルーティング、及び当該着信パケットのベアラへのマッピングを提供する。処理回路２９３０はさらに、中継ノードのＭＴ部について適合レイヤを構成した後に、ドナー基地局の中央ユニットと中継ノードの下流にある第１のさらなる中継ノードとの間で交換されるパケットを転送するために、中継ノードの分散ユニット部について適合レイヤを構成するように構成される。
【０１４２】
いくつかの実施形態で、処理回路２９３０は、以下で詳細に説明する図３４に示す方法を実行するように構成される。
【０１４３】
図３０は、一実施形態による、通信システムにおいて実施される例示的な方法及び／又は手順を示すフローチャートである。通信システムは、ホスト・コンピュータと、基地局と、ＵＥとを含み、これらは、いくつかの例示的な実施形態で図２４及び図２５を参照して説明されたものでありうる。本開示を簡単にするために、図３０に対する図面参照のみがこのセクションに含まれる。ステップ３０１０において、ホスト・コンピュータは、ユーザ・データを提供する。ステップ３０１０のサブステップ３０１１（オプションでありうる）において、ホスト・コンピュータは、ホスト・アプリケーションを実行することによって、ユーザ・データを提供する。ステップ３０２０において、ホスト・コンピュータは、ＵＥへユーザ・データを伝える送信を開始する。ステップ３０３０（オプションでありうる）において、基地局は、本開示全体にわたって説明される実施形態の教示に従って、ホスト・コンピュータが開始した送信において伝えられたユーザ・データをＵＥへ送信する。ステップ３０４０（これもオプションでありうる）において、ＵＥは、ホスト・コンピュータによって実行されるホスト・アプリケーションに関連するクライアント・アプリケーションを実行する。
【０１４４】
図３１は、一実施形態による、通信システムにおいて実施される例示的な方法及び／又は手順を示すフローチャートである。通信システムは、ホスト・コンピュータ、基地局、及びＵＥを含み、これらは図２４及び図２５を参照して説明したものでありうる。本開示を簡単にするために、図３１に対する図面参照のみがこのセクションに含まれる。方法のステップ３１１０において、ホスト・コンピュータは、ユーザ・データを提供する。オプションのサブステップ（図示せず）で、ホスト・コンピュータは、ホスト・アプリケーションを実行することによってユーザ・データを提供する。ステップ３１２０において、ホスト・コンピュータは、ＵＥへユーザ・データを伝える送信を開始する。送信は、本開示全体にわたって説明される実施形態の教示に従って、基地局を介して渡されうる。ステップ３１３０（オプションでありうる）において、ＵＥは、送信において伝えられたユーザ・データを受信する。
【０１４５】
図３２は、一実施形態による、通信システムにおいて実施される例示的な方法及び／又は手順を示すフローチャートである。通信システムは、ホスト・コンピュータ、基地局、及びＵＥを含み、これらは図２４及び図２５を参照して説明したものでありうる。本開示を簡単にするために、図３２に対する図面参照のみがこのセクションに含まれる。ステップ３２１０（オプションでありうる）において、ＵＥは、ホスト・コンピュータによって提供された入力データを受信する。さらに又は代替的に、ステップ３２２０において、ＵＥは、ユーザ・データを提供する。ステップ３２２０のサブステップ３２２１（オプションでありうる）において、ＵＥは、クライアント・アプリケーションを実行することによって、ユーザ・データを提供する。ステップ３２１０のサブステップ３２１１（オプションでありうる）において、ＵＥは、ホスト・コンピュータによって提供された受信入力データに応じてユーザ・データを提供するクライアント・アプリケーションを実行する。ユーザ・データを提供する際に、実行されたクライアント・アプリケーションは、ユーザから受け取ったユーザ入力をさらに考慮できる。ユーザ・データが提供された特定の方法にかかわらず、ＵＥは、サブステップ３２３０（オプションでありうる）において、ユーザ・データのホスト・コンピュータへの送信を開始する。本方法のステップ３２４０において、ホスト・コンピュータは、本開示全体にわたって説明される実施形態の教示に従って、ＵＥから送信されたユーザ・データを受信する。
【０１４６】
図３３は、一実施形態による、通信システムにおいて実施される例示的な方法及び／又は手順を示すフローチャートである。通信システムは、ホスト・コンピュータ、基地局、及びＵＥを含み、これらは図２４及び図２５を参照して説明したものでありうる。本開示を簡単にするために、図３３を参照する図面のみがこのセクションに含まれる。ステップ３３１０（オプションでありうる）で、本開示全体にわたって説明される実施形態の教示に従って、基地局は、ＵＥからユーザ・データを受信する。ステップ３３２０（オプションでありうる）で、基地局は、受信したユーザ・データのホスト・コンピュータへの送信を開始する。ステップ３３３０（オプションでありうる）において、ホスト・コンピュータは、基地局によって開始された送信において伝えられたユーザ・データを受信する。
【０１４７】
図３４は、本開示の特定の例示的な実施形態による、ドナー基地局の分散ユニットを通じてドナー基地局（例えば、ドナーｇＮＢ）の中央ユニットと通信するように適合された中継ノード（例えば、ＩＡＢ中継ノード）における例示的な方法及び／又は手順を示す。ドナー基地局は、中央ユニットと１つ以上の分散ユニットとを含み、中央ユニットと各分散ユニットとの間にＦ１インタフェースが規定される。例示的な方法及び／又は手順は特に指示されない限り、特定の順序でブロックによって図３４に示されているが、順序は例示的であり、ブロックに対応する動作は異なる順序で実行されることができ、図３４に示されているものとは異なる機能を有するブロックに結合及び／又は分離されることができる。さらに、図３４に示されている例示的な方法及び／又は手順は、本書で開示されている他の例示的な方法及び／又は手順と相補的であり、したがって、これらは協働して使用されて、本書で上述した問題に対する利益、利点、及び／又はソリューションを提供できる。
【０１４８】
例示的な方法及び／又は手順は、ブロック３４０２から始まり、ここで、中継ノードは例えば、中継ノードのモバイル端末（ＭＴ）部のためのパケット・データ・ユニット（ＰＤＵ）セッションを確立するために無線リソース制御（ＲＲＣ）シグナリングを使用して、ドナー基地局に接続する。ブロック３４０４において、中継ノードは、接続を確立した後に、中継ノードのＭＴ部についてプロトコル・スタック内に適合レイヤを構成し、適合レイヤは、中継ノードに接続された１つ以上のＵＥ又は１つ以上の中継ノードへの着信パケットのルーティングと、当該着信パケットのベアラへのマッピングのための提供するためのものである。ブロック３４０６において、中継ノードは、中継ノードのＭＴ部について適合レイヤを構成した後に、ドナー基地局の中央ユニットと中継ノードの下流にある第１のさらなる中継ノードとの間で交換されるパケットを転送するために、中継ノードの分散ユニット部について適合レイヤを構成する。
【０１４９】
いくつかの例示的な実施形態で、中継ノードのＭＴ部についてプロトコル・スタック内に適合レイヤを構成することは、（例えば、図１８〜２０に示されるように）ドナー基地局から受信されたＲＲＣシグナリングを使用して実行される。
【０１５０】
いくつかの例示的な実施形態で、中継ノードの分散ユニット部についての適合レイヤのセットアップは、Ｆ１アプリケーション・プロトコル（Ｆ１‐ＡＰ）に従って、ドナー基地局から受信されたＦ１シグナリングを使用して実行される。
【０１５１】
いくつかの例示的な実施形態で、図３４に示される例示的な方法は、ドナー基地局の中央ユニットとのＦ１シグナリングを使用して、ドナー基地局の中央ユニットと、中継ノードの下流にある第２のさらなる中継ノードとの間で交換されるパケットを転送することを提供するために、中継ノードの分散ユニット部について適合レイヤを後に再構成することをさらに含む。いくつかのさらなる例示的な実施形態で、中継ノードの分散ユニット部についての適合レイヤの再構成は、第１のさらなる中継ノードと並列に中継ノードに接続された第２のさらなる中継ノードについて実行される。他のさらなる例示的な実施形態で、中継ノードの分散ユニット部についての適合レイヤの再構成は、第１のさらなる中継ノードとのカスケードで中継ノードに接続され且つ第１のさらなる中継ノードの下流にある第２のさらなる中継ノードに関して実行される。
【０１５２】
図３５は、本開示の特定の例示的な実施形態による、ドナー基地局の分散ユニットを通じて中央ユニットと通信する中継ノードにおいて適合レイヤを構成するための、Ｆ１インタフェースが中央ユニットと分散ユニットのそれぞれとの間に規定された、中央ユニットと、アタッチされたノードとの無線通信のための１つ以上の分散ユニットとを備えるドナー基地局（例えば、ｇＮＢ）の中央ユニットにおける例示的な方法及び／又は手順を示す。例示的な方法及び／又は手順は特に指示されない限り、特定の順序でブロックによって図３５に示されているが、この順序は例示的であり、ブロックに対応する動作は異なる順序で実行することができ、図３５に示されているものとは異なる機能を有するブロックに結合及び／又は分離されることができる。さらに、図３５に示されている例示的な方法及び／又は手順は、本書で開示されている他の例示的な方法及び／又は手順と相補的であり、したがって、これらは協働して使用されて、本書で上述した問題に対する利益、利点、及び／又はソリューションを提供できる。
【０１５３】
例示的な方法及び／又は手順はブロック３５０２で始まり、ここで、中央ユニットは、ＲＲＣシグナリングを使用して、中継ノードのモバイル端末（ＭＴ）部との接続を確立する。ブロック３５０４において、中央ユニットは、接続を確立した後に、中継ノードのＭＴ部とシグナリングして、中継ノードのＭＴ部についてプロトコル・スタック内に適合レイヤを構成し、適合レイヤは、中継ノードに接続された１つ以上のＵＥ又は１つ以上のさらなる中継ノードへの着信パケットのルーティング、及び当該着信パケットのベアラへのマッピングを提供する。ブロック３５０６において、中央ユニットは、中継ノードのＭＴ部についてＦ１適合レイヤを構成した後に、中継ノードの分散ユニット部において適合レイヤを構成してもよく、ドナー基地局の分散ユニットにおける適合レイヤは、ドナー基地局の下流にある１つ以上の中継ノードのうちの適切な中継ノードに着信パケットをルーティングするように構成される。
【０１５４】
いくつかの例示的な実施形態で、中継ノードのＭＴ部についてプロトコル・スタック内に適合レイヤを構成するための中継ノードのＭＴ部とのシグナリングは、ＲＲＣシグナリングを使用して実行される。
【０１５５】
いくつかの例示的な実施形態で、中継ノードの分散ユニット部について適合レイヤを構成するための中継ノードの分散ユニット部とのシグナリングは、Ｆ１アプリケーション・プロトコル（Ｆ１‐ＡＰ）に従って、Ｆ１シグナリングを使用して実行される。
【０１５６】
いくつかの例示的な実施形態で、方法は、その後、中継ノードとのＦ１シグナリングを使用して、ドナー基地局の中央ユニットと、中継ノードの下流にある第２のさらなる中継ノードとの間で交換されるパケットを転送することを提供するために、中継ノードの分散ユニット部について適合レイヤを再構成することを含む。いくつかのさらなる例示的な実施形態で、中継ノードの分散ユニット部についての適合レイヤの再構成は、第１のさらなる中継ノードと並列に中継ノードに接続された第２のさらなる中継ノードに関して実行される。他のさらなる例示的な実施形態で、中継ノードの分散ユニット部についての適合レイヤの再構成は、第１のさらなる中継ノードとのカスケードで中継ノードに接続され且つ第１のさらなる中継ノードの下流にある第２のさらなる中継ノードに関して実行される。
【０１５７】
ユニットという用語は、電子機器、電気デバイス、及び／又は電子デバイスの分野において従来の意味を有することができ、例えば、本書で説明されるような、電気及び／又は電子回路、デバイス、モジュール、プロセッサ、メモリ、ロジック・ソリッド・ステート及び／又はディスクリート・デバイス、それぞれのタスク、手順、演算、出力、及び／又は表示機能などを実行するためのコンピュータ・プログラム又は命令を含みうる。
【０１５８】
例示的な実施形態
本書で説明される技術及び装置の例示的な実施形態は以下の列挙された例を含むが、これらに限定されない。
【０１５９】
１．中継ノードにおいて、ドナー基地局の分散ユニットを通じて前記ドナー基地局の中央ユニットと通信するための適合レイヤを構成するための方法であって、前記ドナー基地局は、前記中央ユニットと１つ以上の分散ユニットとを備え、前記中央ユニットと前記分散ユニットのそれぞれとの間にＦ１インタフェースが規定され、前記方法は、
前記ドナー基地局に接続し、前記中継ノードのモバイル端末（ＭＴ）部についてパケット・データ・ユニット（ＰＤＵ）セッションを確立するために無線リソース制御（ＲＲＣ）シグナリングを使用することと、
前記ＰＤＵセッションを確立した後に、前記中継ノードの前記ＭＴ部についてプロトコル・スタック内に適合レイヤを構成することであって、前記適合レイヤは、前記ドナー基地局の前記中央ユニットと前記中継ノードとの間のＦ１シグナリングを提供する、ことと、
前記中継ノードの前記ＭＴ部について前記適合レイヤを構成した後に、前記ドナー基地局の前記中央ユニットとのＦ１シグナリングを使用して、前記中継ノードの下流にある第１のさらなる中継ノードと通信するために、前記中継ノードの前記分散ユニット部について適合レイヤをセットアップすることであって、前記中継ノードの前記分散ユニット部についての前記Ｆ１適合レイヤは、前記ドナー基地局の前記中央ユニットと前記第１のさらなる中継ノードとの間で交換されるパケットを転送するように構成される、ことと、を有する、方法。
２．例示的な実施形態１に記載の方法であって、前記中継ノードの前記ＭＴ部について前記プロトコル・スタック内に前記適合レイヤを構成することは、ＲＲＣシグナリングを使用して実行される、方法。
３．例示的な実施形態１又は２に記載の方法であって、前記中継ノードの前記分散ユニット部について前記適合レイヤのセットアップすることは、Ｆ１アプリケーション・プロトコル（Ｆ１‐ＡＰ）に従って、Ｆ１シグナリングを使用して実行される、方法。
４．例示的な実施形態１乃至３の何れか１つに記載の方法であって、前記ドナー基地局の前記中央ユニットとのＦ１シグナリングを使用して、前記中継ノードの下流にある第２のさらなる中継ノードとの通信を提供するために、前記中継ノードの前記分散ユニット部について前記Ｆ１適合レイヤをその後に再構成することをさらに有する、方法。
５．例示的な実施形態４に記載の方法であって、前記中継ノードの前記分散ユニット部について前記Ｆ１適合レイヤを再構成することは、前記第１のさらなる中継ノードと並列に前記中継ノードに接続された前記第２のさらなる中継ノードとの通信を提供するために実行される、方法。
６．例示的な実施形態４に記載の方法であって、前記中継ノードの前記分散ユニット部について前記Ｆ１適合レイヤを再構成することは、前記第１のさらなる中継ノードとのカスケードで前記中継ノードに接続され且つ前記第１のさらなる中継ノードの下流にある前記第２のさらなる中継ノードとの通信を提供するために実行される、方法。
７．中央ユニットと、アタッチされたノードとの無線通信のための１つ以上の分散ユニットとを備え、前記中央ユニットと前記分散ユニットのそれぞれとの間にＦ１インタフェースが規定されたドナー基地局の前記中央ユニットにおいて、前記ドナー基地局の分散ユニットを通じて中継ノードと通信するための適合レイヤを構成するための方法であって、前記方法は、
前記中継ノードのモバイル端末（ＭＴ）部についてパケット・データ・ユニット（ＰＤＵ）セッションを確立するために無線リソース制御（ＲＲＣ）シグナリングを使用することと、
前記ＰＤＵセッションを確立した後に、前記中継ノードの前記ＭＴ部についてプロトコル・スタック内にＦ１適合レイヤを構成することであって、前記Ｆ１適合レイヤは、前記ドナー基地局の前記中央ユニットと、前記中継ノードとの間のＦ１シグナリングを提供する、ことと、
前記中継ノードの前記ＭＴ部について前記Ｆ１適合レイヤを構成した後に、前記中継ノードとのＦ１シグナリングを使用して、前記中継ノードの下流にある第１のさらなる中継ノードと通信するために、前記中継ノードの分散ユニット部についてＦ１適合レイヤをセットアップすることであって、前記中継ノードの前記分散ユニット部についての前記Ｆ１適合レイヤは、前記ドナー基地局の前記中央ユニットと、前記第１のさらなる中継ノードとの間で交換されるパケットを転送するように構成される、ことと、を有する、方法。
８．例示的な実施形態７に記載の方法であって、前記中継ノードの前記ＭＴ部について前記プロトコル・スタック内に前記Ｆ１適合レイヤを構成することは、ＲＲＣシグナリングを使用して実行される、方法。
９．例示的な実施形態７又は８に記載の方法であって、前記中継ノードの前記分散ユニット部について前記Ｆ１適合レイヤをセットアップすることは、Ｆ１アプリケーション・プロトコル（Ｆ１‐ＡＰ）に従って、Ｆ１信号を使用して実行される、方法。
１０．例示的な実施形態７乃至９の何れか１つに記載の方法であって、前記中継ノードとのＦ１シグナリングを使用して、前記中継ノードの下流にある第２のさらなる中継ノードとの通信を提供するために、前記中継ノードの前記分散ユニット部について前記Ｆ１適合レイヤをその後に再構成することをさらに有する、方法。
１１．例示的な実施形態１０に記載の方法であって、前記中継ノードの前記分散ユニット部について前記Ｆ１適合レイヤを再構成することは、前記第１のさらなる中継ノードと並列に前記中継ノードに接続された前記第２のさらなる中継ノードとの通信を提供するために実行される、方法。
１２．例示的な実施形態１０に記載の方法であって、前記中継ノードの前記分散ユニット部について前記Ｆ１適合レイヤを再構成することは、前記第１のさらなる中継ノードとのカスケードで前記中継ノードに接続され且つ前記第１のさらなる中継ノードの下流にある前記第２のさらなる中継ノードとの通信を提供するために実行される、方法。
１３．ドナー基地局の分散ユニットを通じて前記ドナー基地局の中央ユニットと通信するための適合レイヤを構成するように構成された中継ノードであって、前記ドナー基地局は、前記中央ユニットと１つ以上の分散ユニットとを備え、前記中央ユニットと前記分散ユニットのそれぞれとの間にＦ１インタフェースが規定され、前記中継ノードは、例示的な実施形態１乃至６の何れか１つに記載の方法を実行するように構成される、中継ノード。１４．中央ユニットと、アタッチされたノードとの無線通信のための１つ以上の分散ユニットとを備え、前記中央ユニットと前記分散ユニットのそれぞれとの間にＦ１インタフェースが規定されるドナー基地局の前記中央ユニットであって、前記中央ユニットは、前記ドナー基地局の分散ユニットを通じて中継ノードと通信するための適合レイヤを構成するように構成され、前記中央ユニットは、例示的な実施形態７乃至１４の何れか１項に記載の方法を実行するように構成される、中央ユニット。
１５．少なくとも１つの処理回路で実行された場合に、前記少なくとも１つの処理回路に、例示の実施形態１乃至１４の何れか１つに記載の方法を実行させる命令を含むコンピュータ・プログラム。
１６．例示の実施形態１５に記載のコンピュータ・プログラムを含むキャリアであって、前記キャリアは、電気信号、光信号、無線信号、又はコンピュータ可読記憶媒体のうちの１つである、キャリア。
１７．  ユーザ・データを提供するように構成された処理回路と、
ユーザ機器（ＵＥ）への送信のためにセルラ・ネットワークに前記ユーザ・データを転送するように構成された通信インタフェースと、を備えるホスト・コンピュータを含む通信システムであって、
前記セルラ・ネットワークは、無線インタフェース及び処理回路を有する第１のネットワーク・ノードを備え、
前記第１のネットワーク・ノードの処理回路は、実施形態１乃至１４の何れか１つの方法に対応する動作を実行するように構成される、通信システム。
１８．前記第１及び第２のネットワーク・ノードのうちの少なくとも１つと通信するように構成されたユーザ機器をさらに含む、実施形態１７に記載の通信システム。
１９．実施形態１７又は１８に記載の通信システムであって、
前記ホスト・コンピュータの前記処理回路は、ホスト・アプリケーションを実行し、それによってユーザ・データを提供するように構成され、
前記ＵＥは、前記ホスト・アプリケーションに関連付けられたクライアント・アプリケーションを実行するように構成された処理回路を備える、通信システム。
２０．実施形態１７乃至１９の何れか１つに記載の通信システムであって、マルチホップ統合アクセス・バックホール（ＩＡＢ）構成で配置され、前記第１のネットワーク・ノードを介して前記ＵＥと通信するように構成された複数のさらなるネットワーク・ノードをさらに備える、通信システム。
２１．ホスト・コンピュータと、第１のネットワーク・ノードと、ユーザ機器（ＵＥ）とを含む通信システムにおいて実施される方法であって、前記方法は、
前記ホスト・コンピュータにおいて、ユーザ・データを提供することと、
前記ホスト・コンピュータにおいて、前記第１のネットワーク・ノードを備えるセルラ・ネットワークを介してＵＥへのユーザ・データを伝える送信を開始すると、
実施形態１乃至１４の何れか１つに記載の方法に対応する、第１のネットワーク・ノードによって実行される動作と、を有する方法。
２２．実施形態２１に記載の方法であって、前記第１の第２のネットワーク・ノードによって前記ユーザ・データを送信することをさらに有する、方法。
２３．請求項２１又は２２に記載の方法であって、前記ユーザ・データは、ホスト・アプリケーションを実行することによって前記ホスト・コンピュータで提供され、前記方法は、前記ＵＥにおいて、前記ホスト・アプリケーションに関連付けられたクライアント・アプリケーションを実行することをさらに有する、方法。
２４．実施形態２１乃至２３の何れか１つに記載の方法であって、実施形態１乃至１４の何れか１つに記載の方法に対応する、前記第１のネットワーク・ノードとのマルチホップ統合アクセス・バックホール（ＩＡＢ）構成に配置された第２のネットワーク・ノードによって実行される動作をさらに有する、方法。
２５．ユーザ機器（ＵＥ）から第１のネットワーク・ノードへの送信から生じるユーザ・データを受信するように構成された通信インタフェースと、実施形態１乃至１４の何れか１つに記載の方法に対応する動作を実行するように構成された処理回路とを備えるホスト・コンピュータを含む通信システム。
２６．実施形態２５の通信システムであって、前記第１のネットワーク・ノードをさらに備える、通信システム。
２７．実施形態２５又は２６の通信システムであって、前記第１のネットワーク・ノードとのマルチホップ統合アクセス・バックホール（ＩＡＢ）構成に配置され、実施形態１乃至１４の何れか１つに記載の方法に対応する動作を実行するように構成された無線インタフェース回路及び処理回路を備える第２のネットワーク・ノードをさらに含む、通信システム。
２８．実施形態２５乃至２８の何れか１つに記載の通信システムであって、前記ＵＥをさらに含み、前記ＵＥは、前記第１及び第２のネットワーク・ノードのうちの少なくとも１つと通信するように構成される、通信システム。
２９．実施形態２５乃至２８の何れか１つに記載の通信システムであって、
前記ホスト・コンピュータの前記処理回路は、ホスト・アプリケーションを実行するように構成され、
前記ＵＥは、前記ホスト・アプリケーションに関連するクライアント・アプリケーションを実行し、それによって、前記ホスト・コンピュータによって受信される前記ユーザ・データを提供するように構成される、通信システム。
【０１６０】
特に、前述の説明及び関連する図面に提示された教示の恩恵を受ける当業者に、開示された発明の修正及び他の実施形態が思い浮かぼう。したがって、本発明は、開示された特定の実施形態に限定されるべきではなく、修正及び他の実施形態が本開示の範囲内に含まれることが意図されることを理解されたい。本書で特定の用語が使用されうるが、それらは一般的かつ説明的な意味でのみ使用され、限定を目的とするものではない。
【図１】
2021520693.tif 000003
【図２】
2021520693.tif 000004
【図３】
2021520693.tif 000005
【図４】
2021520693.tif 000006
【図５】
2021520693.tif 000007
【図６】
2021520693.tif 000008
【図７】
2021520693.tif 000009
【図８】
2021520693.tif 000010
【図９】
2021520693.tif 000011
【図１０】
2021520693.tif 000012
【図１１】
2021520693.tif 000013
【図１２】
2021520693.tif 000014
【図１３】
2021520693.tif 000015
【図１４】
2021520693.tif 000016
【図１５】
2021520693.tif 000017
【図１６】
2021520693.tif 000018
【図１７】
2021520693.tif 000019
【図１８】
2021520693.tif 000020
【図１９】
2021520693.tif 000021
【図２０】
2021520693.tif 000022
【図２１】
2021520693.tif 000023
【図２２】
2021520693.tif 000024
【図２３】
2021520693.tif 000025
【図２４】
2021520693.tif 000026
【図２５】
2021520693.tif 000027
【図２６】
2021520693.tif 000028
【図２７】
2021520693.tif 000029
【図２８】
2021520693.tif 000030
【図２９】
2021520693.tif 000031
【図３０】
2021520693.tif 000032
【図３１】
2021520693.tif 000033
【図３２】
2021520693.tif 000034
【図３３】
2021520693.tif 000035
【図３４】
2021520693.tif 000036
【図３５】
2021520693.tif 000037
【国際調査報告】
2021520693.tif 000038
2021520693.tif 000039
2021520693.tif 000040